(57)【要約】  本発明は、エアインターフェースベースの同期方法、基地局及びその制御装置、並びに無線通信システムを開示する。ユーザ機器のアクティブランダムアクセスを利用することにより、ランダムアクセスプリアンブルを検出することによって基地局間の時間差が獲得され、獲得された時間差及び基準基地局の基準時間に従って非基準基地局の時間調整値が獲得され、更に非基準基地局は、獲得された時間調整値に従って時間調整を実行し、基準基地局との時刻同期を完了する。本発明は、既存の無線ネットワークを使用することによって基地局間のエアインターフェースベースの同期を容易且つ効果的に実装し、それによって便利且つ経済的な様式で技術的効果を達成することができる。
2016523489.tif 000002
【特許請求の範囲】
【請求項１】
少なくとも１つの時間差を獲得し、前記少なくとも１つの時間差及び第１の基地局の基準時間に従って、第２の基地局の時間調整値を獲得するように構成された、時間調整値処理ユニットであって、前記時間差は前記第１の基地局と前記第２の基地局との間の時間差であり、前記少なくとも１つの時間差は第１の時間差を含み、前記第１の時間差は、前記第１の基地局と前記第２の基地局との間の、第１のユーザ機器ＵＥのアクティブランダムアクセスを使用することによって獲得される時間差であり、前記第１の基地局は基準基地局であり、前記第２の基地局は非基準基地局である、時間調整値処理ユニット、並びに、
前記時間調整値処理ユニットによって獲得された前記時間調整値を前記第２の基地局に送信するように構成され、結果として前記第２の基地局は前記時間調整値に従って時間調整を実行する、調整値送信ユニット、
を備える、中央コントローラ装置。
【請求項２】
時間差要求メッセージを前記第１の基地局に送信するように構成された、時間差要求ユニットであって、
時間差要求ユニットが、時間差要求メッセージを前記第１の基地局に送信するように構成されることは、
前記時間差要求メッセージを前記第１の基地局に定期的に送信するように構成されること、又は
前記第１の基地局の負荷状況に従って、前記第１の基地局の負荷が負荷しきい値よりも低い場合に、前記時間差要求メッセージを前記第１の基地局に送信するように構成されること、
を含む、時間差要求ユニットを更に備える、請求項１に記載の装置。
【請求項３】
前記時間調整値処理ユニットが、前記少なくとも１つの時間差及び第１の基地局の基準時間に従って、第２の基地局の時間調整値を獲得するように構成されることは、
前記時間調整値処理ユニットが少なくとも２つの時間差を獲得する場合、前記少なくとも２つの時間差を平均化するか、又は、最小差の２つの時間差を平均化するか、又は、前記複数の時間差の最大値及び最小値を除去して、残りの時間差を平均化するように、構成されること、並びに、前記平均化を介して取得された時間差及び前記第１の基地局の前記基準時間に従って、前記第２の基地局の前記時間調整値を獲得すること、
を含む、請求項１又は２に記載の装置。
【請求項４】
前記調整値送信ユニットが、前記時間調整値を前記第２の基地局に送信するように構成されることは、
前記時間調整値に従って、前記第２の基地局が時間調整を実行する必要があるかどうかを判定し、前記第２の基地局が時間調整を実行する必要がある場合、前記時間調整値を前記第２の基地局に送信するように構成されること、
を含む、請求項１から３のいずれか一項に記載の装置。
【請求項５】
中央コントローラによって送信された時間差要求メッセージを受信した後、第１のユーザ機器ＵＥを選択するように構成された、ユーザ選択ユニット、
前記ユーザ選択ユニットによって選択された前記第１のＵＥに従い、前記第１のＵＥのアクティブランダムアクセスを使用することによって、第１の基地局と第２の基地局との間の第１の時間差を獲得するように構成された、時間差計算ユニット、並びに、
前記時間差計算ユニットによって獲得された前記第１の時間差を前記中央コントローラに送信するように構成され、結果として前記中央コントローラは、獲得された少なくとも１つの時間差及び前記第１の基地局の基準時間に従って、前記第２の基地局の時間調整値を獲得する、時間差送信ユニットであって、前記少なくとも１つの時間差は前記第１の時間差を含み、前記第１の基地局は基準基地局であり、前記第２の基地局は非基準基地局である、時間差送信ユニット、
を備える、前記第１の基地局として働く、基地局。
【請求項６】
前記ユーザ選択ユニットによって選択された前記第１のＵＥに第１のランダムアクセスプリアンブルを割り振り、前記第１のランダムアクセスプリアンブルに関する情報を前記第２の基地局に送信するように構成され、結果として前記第２の基地局は、前記第１のランダムアクセスプリアンブルに関する前記情報を獲得した後、ランダムアクセスプリアンブル検出を開始し、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、ランダムアクセスプリアンブル管理ユニットであって、
前記第２の基地局によって送信された前記ランダムアクセスプリアンブル検出の正常な開始の確認応答メッセージを受信するように更に構成された、ランダムアクセスプリアンブル管理ユニット、
前記アクティブランダムアクセスを起動するために、前記第１のＵＥによって使用される前記第１のランダムアクセスプリアンブルを検出するように構成された、ランダムアクセスプリアンブル検出ユニット、並びに、
第１の受信瞬間及び第２の受信瞬間を獲得するように構成され、前記第１の受信瞬間は、前記ランダムアクセスプリアンブル検出ユニットが前記第１のランダムアクセスプリアンブルを検出した瞬間であり、前記第２の受信瞬間は、前記第２の基地局が前記第１のランダムアクセスプリアンブルを検出した瞬間である、時間情報獲得ユニット、
を更に備え、
時間差計算ユニットが、前記ユーザ選択ユニットによって選択された前記第１のＵＥに従って、前記第１のＵＥのアクティブランダムアクセスを使用することによって、前記第１の基地局と第２の基地局との間の第１の時間差を獲得するように構成されることは、前記時間情報獲得ユニットによって獲得された前記第１の受信瞬間及び前記第２の受信瞬間に従って、前記第１の時間差を計算するように構成されることを含む、
請求項５に記載の基地局。
【請求項７】
前記ランダムアクセスプリアンブル管理ユニットが、前記第２の基地局によって送信された前記ランダムアクセスプリアンブル検出の正常な開始の前記確認応答メッセージを受信した後、前記第１のランダムアクセスプリアンブルを使用することによって、前記第１の基地局へのアクティブランダムアクセスを起動するために、前記第１のＵＥをトリガするように構成された、リソースマッピングユニット、
を更に備える、請求項６に記載の基地局。
【請求項８】
リソースマッピングユニットが、前記第１のランダムアクセスプリアンブルを使用することによって、前記第１の基地局へのアクティブランダムアクセスを起動するために、前記第１のＵＥをトリガするように構成されることは、
前記第１のＵＥに、物理ダウンリンク制御チャネルオーダーＰＤＣＣＨ  Ｏｒｄｅｒを送信するように構成されることを含み、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、
請求項７に記載の基地局。
【請求項９】
前記時間差計算ユニットが、前記時間情報獲得ユニットによって獲得された前記第１の受信瞬間及び前記第２の受信瞬間に従って、前記第１の時間差を計算するように構成されることは、
第１の時間差＝（第２の受信瞬間−第１の受信瞬間）に従って、前記第１の時間差を計算するように構成されること、又は、
第１の時間差＝（第１の受信瞬間−第２の受信瞬間）に従って、前記第１の時間差を計算するように構成されること、
を含む、請求項６に記載の基地局。
【請求項１０】
前記ユーザ選択モジュールが、第１のＵＥを選択するように構成されることは、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１のＵＥを選択するように構成されること、
を含む、請求項５から９に記載の基地局。
【請求項１１】
中央コントローラによって送信された時間調整値を受信するように構成された調整値獲得ユニットであって、前記時間調整値は、第１の基地局と第２の基地局との間の少なくとも１つの時間差、及び前記第１の基地局の基準時間に従って、前記中央コントローラによって獲得される前記第２の基地局の時間調整値であり、前記少なくとも１つの時間差は第１の時間差を含み、前記第１の時間差は、時間差要求メッセージに従って、及び第１のユーザ機器ＵＥのアクティブランダムアクセスを使用することによって、前記第１の基地局によって獲得される時間差である、調整値獲得ユニット、並びに、
前記調整値獲得ユニットによって獲得された前記時間調整値に従って、時間調整を実行するように構成された、時間調整ユニット、
を備える、前記第２の基地局として働く、基地局。
【請求項１２】
前記第１の基地局によって送信された第１のランダムアクセスプリアンブルを受信するように構成された、ランダムアクセスプリアンブル管理ユニット、
前記ランダムアクセスプリアンブル管理ユニットが、前記第１の基地局によって送信された前記第１のランダムアクセスプリアンブルを受信した後、ランダムアクセスプリアンブルの検出を開始するように構成された、ランダムアクセスプリアンブル検出ユニットであって、
前記ランダムアクセスプリアンブル管理ユニットは、前記ランダムアクセスプリアンブル検出ユニットが前記ランダムアクセスプリアンブル検出を開始した後、前記ランダムアクセスプリアンブル検出の正常な開始の確認応答メッセージを前記第１の基地局に送信するように更に構成され、結果として前記第１の基地局は、前記第１のランダムアクセスプリアンブルを使用することによって、アクティブランダムアクセスを起動するために、前記第１のＵＥをトリガし、
前記ランダムアクセスプリアンブル検出ユニットは、前記アクティブランダムアクセスを起動するために、前記第１のＵＥによって使用される前記第１のランダムアクセスプリアンブルを検出するように更に構成され、
前記ランダムアクセスプリアンブル検出ユニットが前記第１のランダムアクセスプリアンブルを検出した場合、第２の受信瞬間を獲得し、前記第２の受信瞬間を前記第１の基地局に送信するように構成され、結果として前記第１の基地局は、第１の受信瞬間及び前記第２の受信瞬間に従って、前記第１の時間差を計算し、前記第１の受信瞬間は、前記第１の基地局が前記第１のランダムアクセスプリアンブルを検出した瞬間である、時間情報獲得ユニット、
を更に備える、請求項１１に記載の基地局。
【請求項１３】
中央コントローラによって、少なくとも１つの時間差を獲得するステップ、及び、前記少なくとも１つの時間差及び第１の基地局の基準時間に従って、第２の基地局の時間調整値を獲得するステップであって、前記時間差は前記第１の基地局と前記第２の基地局との間の時間差であり、前記少なくとも１つの時間差は第１の時間差を含み、前記第１の時間差は、前記第１の基地局と前記第２の基地局との間の、第１のユーザ機器ＵＥのアクティブランダムアクセスを使用することによって獲得される時間差であり、前記第１の基地局は基準基地局であり、前記第２の基地局は非基準基地局である、獲得するステップ、並びに、
前記中央コントローラによって、前記時間調整値を前記第２の基地局に送信するステップであって、結果として前記第２の基地局は前記時間調整値に従って時間調整を実行する、送信するステップ、
を含む、エアインターフェースベースの同期方法。
【請求項１４】
前記中央コントローラによって、時間差要求メッセージを前記第１の基地局に送信するステップを更に含み、結果として前記第１の基地局は前記第１の時間差を獲得し、
前記中央コントローラによって、時間差要求メッセージを前記第１の基地局に送信する前記ステップは、
前記時間差要求メッセージを前記第１の基地局に定期的に送信するステップ、又は、
前記第１の基地局の負荷状況に従って、前記第１の基地局の負荷が負荷しきい値よりも低い場合に、前記時間差要求メッセージを前記第１の基地局に送信するステップ、
を含む、請求項１３に記載のエアインターフェースベースの同期方法。
【請求項１５】
中央コントローラによって、前記少なくとも１つの時間差及び基準基地局の基準時間に従って、非基準基地局の時間調整値を獲得する前記ステップは、
前記中央コントローラが少なくとも２つの時間差を獲得する場合、前記中央コントローラによって、前記少なくとも２つの時間差を平均化するステップ、又は、最小差の２つの時間差を平均化するステップ、又は、前記複数の時間差の最大値及び最小値を除去して、残りの時間差を平均化するステップ、並びに、平均化する前記ステップを介して取得された時間差及び前記第１の基地局の前記基準時間に従って、前記第２の基地局の前記時間調整値を獲得するステップ、
を含む、請求項１３又は１４に記載のエアインターフェースベースの同期方法。
【請求項１６】
前記中央コントローラによって、前記時間調整値を前記第２の基地局に送信する前記ステップは、
前記中央コントローラによって、前記時間調整値に従い、前記第２の基地局が時間調整を実行する必要があるかどうかを判定するステップ、及び、前記第２の基地局が時間調整を実行する必要がある場合、前記時間調整値を前記第２の基地局に送信するステップ、
を更に含む、請求項１３から１５のいずれか一項に記載のエアインターフェースベースの同期方法。
【請求項１７】
中央コントローラによって送信された時間差要求メッセージを受信した後、第１の基地局によって、第１のユーザ機器ＵＥを選択するステップ、
前記第１のＵＥのアクティブランダムアクセスを使用することにより、前記第１の基地局によって、前記第１の基地局と第２の基地局との間の第１の時間差を獲得するステップ、並びに、
前記第１の基地局によって、前記第１の時間差を前記中央コントローラに送信するステップであって、結果として前記中央コントローラは、獲得された少なくとも１つの時間差及び前記第１の基地局の基準時間に従って、前記第２の基地局の時間調整値を獲得し、前記少なくとも１つの時間差は前記第１の時間差を含み、前記第１の基地局は基準基地局であり、前記第２の基地局は非基準基地局である、送信するステップ、
を含む、エアインターフェースベースの同期方法。
【請求項１８】
前記第１のＵＥのアクティブランダムアクセスを使用することにより、前記第１の基地局によって、前記第１の基地局と第２の基地局との間の第１の時間差を獲得する前記ステップは、
前記第１の基地局によって、前記第１のＵＥに第１のランダムアクセスプリアンブルを割り振るステップであって、前記第１のＵＥは前記第１の基地局にアクセスするＵＥであり、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、割り振るステップ、
前記第１の基地局によって、前記第１のランダムアクセスプリアンブルに関する情報を前記第２の基地局に送信するステップであって、結果として前記第２の基地局は、前記第１のランダムアクセスプリアンブルに関する前記情報を獲得した後、ランダムアクセスプリアンブル検出を開始する、送信するステップ、並びに、
前記第１の基地局によって、第１の受信瞬間及び第２の受信瞬間に従って、前記第１の基地局と第２の基地局との間の第１の時間差を計算するステップであって、前記第１の受信瞬間は、前記第１の基地局が前記第１のランダムアクセスプリアンブルを検出した瞬間であり、前記第２の受信瞬間は、前記第２の基地局が前記第１のランダムアクセスプリアンブルを検出した瞬間であり、前記第１の基地局は前記第２の基地局によって送信された前記第２の受信瞬間を受信する、計算するステップ、
を含む、請求項１７に記載のエアインターフェースベースの同期方法。
【請求項１９】
前記第１の基地局によって、第１の受信瞬間及び第２の受信瞬間に従って、前記第１の基地局と第２の基地局との間の第１の時間差を計算する前記ステップは、
前記第２の基地局によって送信された前記ランダムアクセスプリアンブル検出の正常な開始の確認応答メッセージを受信した後、前記第１の基地局によって、アクティブランダムアクセスを起動するために、前記第１のＵＥをトリガするステップ、
を更に含む、請求項１７又は１８に記載のエアインターフェースベースの同期方法。
【請求項２０】
アクティブランダムアクセスを起動するために、前記第１のＵＥをトリガする前記ステップは、
前記第１の基地局によって、前記第１のＵＥに、物理ダウンリンク制御チャネルオーダーＰＤＣＣＨ  Ｏｒｄｅｒを送信するステップを含み、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、
請求項１９に記載のエアインターフェースベースの同期方法。
【請求項２１】
前記第１の基地局によって、第１の受信瞬間及び第２の受信瞬間に従って、前記第１の基地局と第２の基地局との間の第１の時間差を計算する前記ステップは、
第１の時間差＝（第２の受信瞬間−第１の受信瞬間）に従って、前記第１の時間差を計算するステップ、又は、
第１の時間差＝（第１の受信瞬間−第２の受信瞬間）に従って、前記第１の時間差を計算するステップ、
を含む、請求項１８に記載のエアインターフェースベースの同期方法。
【請求項２２】
前記第１のＵＥを選択する前記ステップは、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１のＵＥを選択するステップ、
を含む、請求項１７から２１のいずれか一項に記載のエアインターフェースベースの同期方法。
【請求項２３】
第２の基地局によって、中央コントローラによって送信された時間調整値を受信するステップであって、前記時間調整値は、第１の基地局と前記第２の基地局との間の少なくとも１つの時間差、及び前記第１の基地局の基準時間に従って、前記中央コントローラによって獲得される前記第２の基地局の時間調整値であり、前記少なくとも１つの時間差は第１の時間差を含み、前記第１の時間差は、時間差要求メッセージに従って、及び第１のユーザ機器ＵＥのアクティブランダムアクセスを使用することによって、前記第１の基地局によって獲得される時間差である、受信するステップ、並びに、
前記第２の基地局によって、前記時間調整値に従って時間調整を実行するステップ、
を含む、エアインターフェースベースの同期方法。
【請求項２４】
前記第２の基地局によって、前記第１の基地局によって送信された第１のランダムアクセスプリアンブルを受信するステップ、ランダムアクセスプリアンブル検出を開始するステップ、及び、前記ランダムアクセスプリアンブル検出の正常な開始の確認応答メッセージを前記第１の基地局に送信するステップ、を更に含み、結果として、前記第１の基地局は、前記第１のランダムアクセスプリアンブルを使用することによって、アクティブランダムアクセスを実行するために、前記第１のＵＥをトリガし、
前記第２の基地局によって、アクティブランダムアクセスを起動するために、前記第１のＵＥによって使用される前記第１のランダムアクセスプリアンブルを検出することによって、第２の受信瞬間を獲得するステップ、及び、前記第２の受信瞬間を前記第１の基地局に送信するステップを、更に含み、結果として前記第１の基地局は、第１の受信瞬間及び前記第２の受信瞬間に従って、前記第１の時間差を計算し、前記第１の受信瞬間は、前記第１の基地局が前記第１のランダムアクセスプリアンブルを検出した瞬間である、
請求項２３に記載のエアインターフェースベースの同期方法。
【請求項２５】
第２の基地局によって送信された時間差要求メッセージを受信した後、第１のユーザ機器ＵＥを選択するように構成された、ユーザ選択ユニット、
前記ユーザ選択ユニットによって選択された前記第１のＵＥに従い、前記第１のＵＥのアクティブランダムアクセスを使用することによって、第１の基地局と第２の基地局との間の第１の時間差を獲得するように構成された、時間差計算ユニット、並びに、
前記時間差計算ユニットによって獲得された前記第１の時間差を前記第２の基地局に送信するように構成され、結果として前記第２の基地局は、獲得された少なくとも１つの時間差及び基準基地局の基準時間に従って、非基準基地局の時間調整値を獲得する、時間差送信ユニットであって、前記少なくとも１つの時間差は前記第１の時間差を含み、前記基準基地局は前記第１の基地局であり、前記非基準基地局は前記第２の基地局であるか、又は前記基準基地局は前記第２の基地局であり、前記非基準基地局は前記第１の基地局である、時間差送信ユニット、
を備える、前記第１の基地局として働く、基地局。
【請求項２６】
前記ユーザ選択ユニットによって選択された前記第１のＵＥに第１のランダムアクセスプリアンブルを割り振り、前記第１のランダムアクセスプリアンブルに関する情報を前記第２の基地局に送信するように構成され、結果として前記第２の基地局は、前記第１のランダムアクセスプリアンブルに関する前記情報を獲得した後、ランダムアクセスプリアンブル検出を開始し、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、ランダムアクセスプリアンブル管理ユニットであって、
前記第２の基地局によって送信された前記ランダムアクセスプリアンブル検出の正常な開始の確認応答メッセージを受信するように更に構成された、ランダムアクセスプリアンブル管理ユニット、
前記アクティブランダムアクセスを起動するために、前記第１のＵＥによって使用される前記第１のランダムアクセスプリアンブルを検出するように構成された、ランダムアクセスプリアンブル検出ユニット、並びに、
第１の受信瞬間及び第２の受信瞬間を獲得するように構成され、前記第１の受信瞬間は、前記ランダムアクセスプリアンブル検出ユニットが前記第１のランダムアクセスプリアンブルを検出した瞬間であり、前記第２の受信瞬間は、前記第２の基地局が前記第１のランダムアクセスプリアンブルを検出した瞬間である、時間情報獲得ユニット、
を更に備え、
時間差計算ユニットが、前記ユーザ選択ユニットによって選択された前記第１のＵＥに従って、前記第１のＵＥのアクティブランダムアクセスを使用することによって、前記第１の基地局と第２の基地局との間の第１の時間差を獲得するように構成されることは、前記時間情報獲得ユニットによって獲得された前記第１の受信瞬間及び前記第２の受信瞬間に従って、前記第１の時間差を計算するように構成されることを含む、
請求項２５に記載の基地局。
【請求項２７】
前記ランダムアクセスプリアンブル管理ユニットが、前記第２の基地局によって送信された前記ランダムアクセスプリアンブル検出の正常な開始の前記確認応答メッセージを受信した後、前記第１のランダムアクセスプリアンブルを使用することによって、前記第１の基地局へのアクティブランダムアクセスを起動するために、前記第１のＵＥをトリガするように構成された、リソースマッピングユニット、
を更に備える、請求項２６に記載の基地局。
【請求項２８】
リソースマッピングユニットが、前記第１のランダムアクセスプリアンブルを使用することによって、前記第１の基地局へのアクティブランダムアクセスを起動するために、前記第１のＵＥをトリガするように構成されることは、
前記第１のＵＥに、物理ダウンリンク制御チャネルオーダーＰＤＣＣＨ  Ｏｒｄｅｒを送信することを含み、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、
請求項２７に記載の基地局。
【請求項２９】
前記時間差計算ユニットが、前記時間情報獲得ユニットによって獲得された前記第１の受信瞬間及び前記第２の受信瞬間に従って、前記第１の時間差を計算するように構成されることは、
第１の時間差＝（第２の受信瞬間−第１の受信瞬間）に従って、前記第１の時間差を計算すること、又は、
第１の時間差＝（第１の受信瞬間−第２の受信瞬間）に従って、前記第１の時間差を計算すること、
を含む、請求項２６に記載の基地局。
【請求項３０】
前記ユーザ選択モジュールが、第１のＵＥを選択するように構成されることは、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１のＵＥを選択するように構成されること、
を含む、請求項２５から２９のいずれか一項に記載の基地局。
【請求項３１】
前記基準基地局が前記第２の基地局である場合、前記第２の基地局によって送信された前記時間調整値を獲得するように構成された、調整値獲得ユニット、及び、
前記調整値獲得ユニットによって獲得された前記時間調整値に従って、時間調整を実行するように構成された、時間調整ユニット、
を更に備える、請求項２５から３０のいずれか一項に記載の基地局。
【請求項３２】
時間差要求メッセージを第１の基地局に送信するように構成され、結果として前記第１の基地局は、第１のユーザ機器ＵＥのアクティブランダムアクセスを使用することによって、前記第１の基地局と第２の基地局との間の第１の時間差を獲得する、時間差要求ユニット、
少なくとも１つの時間差を獲得し、前記少なくとも１つの時間差及び基準基地局の基準時間に従って、非基準基地局の時間調整値を獲得するように構成され、前記時間差は前記第１の基地局と前記第２の基地局との間の時間差であり、前記少なくとも１つの時間差は第１の時間差を含み、前記基準基地局は前記第１の基地局であり、前記非基準基地局は前記第２の基地局であるか、又は、前記基準基地局は前記第２の基地局であり、前記非基準基地局は前記第１の基地局である、時間調整値処理ユニット、並びに、
前記時間調整値処理ユニットによって獲得された前記時間調整値を前記非基準基地局に送信するように構成され、結果として前記非基準基地局は、前記時間調整値に従って時間調整を実行する、調整値送信ユニット、
を備える、前記第２の基地局として働く、基地局。
【請求項３３】
時間差要求ユニットが、時間差要求メッセージを第１の基地局に送信するように構成されることは、
前記時間差要求メッセージを前記第１の基地局に定期的に送信するように構成されること、又は
前記第１の基地局の負荷状況に従って、前記第１の基地局の負荷が負荷しきい値よりも低い場合に、前記時間差要求メッセージを前記第１の基地局に送信するように構成されること、
を含む、請求項３２に記載の基地局。
【請求項３４】
時間調整値処理ユニットが、前記少なくとも１つの時間差及び基準基地局の基準時間に従って、非基準基地局の時間調整値を獲得するように構成されることは、
前記時間調整値処理ユニットが少なくとも２つの時間差を獲得する場合、前記少なくとも２つの時間差を平均化するか、又は、最小差の２つの時間差を平均化するか、又は、前記複数の時間差の最大値及び最小値を除去して、残りの時間差を平均化するように、構成されること、並びに、前記平均化を介して取得された時間差及び前記基準基地局の前記基準時間に従って、前記非基準基地局の前記時間調整値を獲得すること、
を含む、請求項３２又は３３に記載の基地局。
【請求項３５】
調整値送信ユニットが、前記時間調整値を前記非基準基地局に送信するように構成されることは、
前記時間調整値に従って、前記非基準基地局が時間調整を実行する必要があるかどうかを判定し、前記非基準基地局が時間調整を実行する必要がある場合、前記時間調整値を前記非基準基地局に送信するように構成されること、
を含む、請求項３２から３４のいずれか一項に記載の基地局。
【請求項３６】
前記第１の基地局によって送信された第１のランダムアクセスプリアンブルを受信するように構成された、ランダムアクセスプリアンブル管理ユニット、
前記ランダムアクセスプリアンブル管理ユニットが、前記第１の基地局によって送信された前記第１のランダムアクセスプリアンブルを受信した後、ランダムアクセスプリアンブルの検出を開始するように構成された、ランダムアクセスプリアンブル検出ユニットであって、
前記ランダムアクセスプリアンブル管理ユニットは、前記ランダムアクセスプリアンブル検出ユニットが前記ランダムアクセスプリアンブル検出を開始した後、前記ランダムアクセスプリアンブル検出の正常な開始の確認応答メッセージを前記第１の基地局に送信するように更に構成され、結果として前記第１の基地局は、前記第１のランダムアクセスプリアンブルを使用することによって、アクティブランダムアクセスを起動するために、前記第１のＵＥをトリガし、
前記ランダムアクセスプリアンブル検出ユニットは、前記アクティブランダムアクセスを起動するために、前記第１のＵＥによって使用される前記第１のランダムアクセスプリアンブルを検出するように更に構成され、
前記ランダムアクセスプリアンブル検出ユニットが前記第１のランダムアクセスプリアンブルを検出した場合、第２の受信瞬間を獲得し、前記第２の受信瞬間を前記第１の基地局に送信するように構成され、結果として前記第１の基地局は、第１の受信瞬間及び前記第２の受信瞬間に従って、前記第１の時間差を計算し、前記第１の受信瞬間は、前記第１の基地局が前記第１のランダムアクセスプリアンブルを検出した瞬間である、時間情報獲得ユニット、
を更に備える、請求項３２から３５のいずれか一項に記載の基地局。
【請求項３７】
前記基準基地局が前記第１の基地局である場合、前記調整値送信ユニットによって送信された前記時間調整値を獲得するように構成された、調整値獲得ユニット、及び、
前記調整値獲得ユニットによって獲得された前記時間調整値に従って、時間調整を実行するように構成された、時間調整ユニット、
を更に備える、請求項３２から３６のいずれか一項に記載の基地局。
【請求項３８】
第２の基地局によって送信された時間差要求メッセージを受信した後、第１の基地局によって、第１のユーザ機器ＵＥを選択するステップ、
前記第１のＵＥのアクティブランダムアクセスを使用することにより、前記第１の基地局によって、前記第１の基地局と第２の基地局との間の第１の時間差を獲得するステップ、並びに、
前記第１の基地局によって、前記第１の時間差を前記第２の基地局に送信するステップであって、結果として前記第２の基地局は、獲得された少なくとも１つの時間差及び基準基地局の基準時間に従って、非基準基地局の時間調整値を獲得し、前記少なくとも１つの時間差は前記第１の時間差を含み、前記第１の基地局は前記基準基地局であり、前記第２の基地局は前記非基準基地局であるか、又は、前記第２の基地局は前記基準基地局であり、前記第１の基地局は前記非基準基地局である、送信するステップ、
を含む、エアインターフェースベースの同期方法。
【請求項３９】
前記第１のＵＥのアクティブランダムアクセスを使用することにより、前記第１の基地局によって、前記第１の基地局と前記第２の基地局との間の第１の時間差を獲得するステップは、
前記第１の基地局によって、前記第１のＵＥに第１のランダムアクセスプリアンブルを割り振るステップであって、前記第１のＵＥは前記第１の基地局にアクセスするＵＥであり、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、割り振るステップ、
前記第１の基地局によって、前記第１のランダムアクセスプリアンブルに関する情報を前記第２の基地局に送信するステップであって、結果として前記第２の基地局は、前記第１のランダムアクセスプリアンブルに関する前記情報を獲得した後、ランダムアクセスプリアンブル検出を開始する、送信するステップ、
前記第２の基地局によって送信されたランダムアクセスプリアンブル検出の正常な開始の確認応答メッセージを受信した後、前記第１の基地局によって、アクティブランダムアクセスを起動するために前記第１のＵＥをトリガするステップ、並びに、
前記第１の基地局によって、第１の受信瞬間及び第２の受信瞬間に従って、前記第１の基地局と前記第２の基地局との間の第１の時間差を計算するステップであって、前記第１の受信瞬間は、前記第１の基地局が前記第１のランダムアクセスプリアンブルを検出した瞬間であり、前記第２の受信瞬間は、前記第２の基地局が前記第１のランダムアクセスプリアンブルを検出した瞬間であり、前記第１の基地局は前記第２の基地局によって送信された前記第２の受信瞬間を受信する、計算するステップ、
を含む、請求項３８に記載のエアインターフェースベースの同期方法。
【請求項４０】
前記第１の基地局によって、第１の受信瞬間及び第２の受信瞬間に従って、前記第１の基地局と前記第２の基地局との間の第１の時間差を計算する前記ステップは、
前記第２の基地局によって送信された前記ランダムアクセスプリアンブル検出の正常な開始の確認応答メッセージを受信した後、前記第１の基地局によって、アクティブランダムアクセスを起動するために、前記第１のＵＥをトリガするステップ、
を更に含む、請求項３８又は３９に記載のエアインターフェースベースの同期方法。
【請求項４１】
アクティブランダムアクセスを起動するために、前記第１のＵＥをトリガする前記ステップは、
前記第１の基地局によって、前記第１のＵＥに、物理ダウンリンク制御チャネルオーダーＰＤＣＣＨ  Ｏｒｄｅｒを送信するステップを含み、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、
請求項４０に記載のエアインターフェースベースの同期方法。
【請求項４２】
前記第１の基地局によって、第１の受信瞬間及び第２の受信瞬間に従って、前記第１の基地局と前記第２の基地局との間の第１の時間差を計算する前記ステップは、
第１の時間差＝（第２の受信瞬間−第１の受信瞬間）に従って、前記第１の時間差を計算するステップ、又は、
第１の時間差＝（第１の受信瞬間−第２の受信瞬間）に従って、前記第１の時間差を計算するステップ、
を含む、請求項３９に記載のエアインターフェースベースの同期方法。
【請求項４３】
前記第１のＵＥを選択する前記ステップは、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１のＵＥを選択するステップ、
を含む、請求項３８から４２のいずれか一項に記載のエアインターフェースベースの同期方法。
【請求項４４】
前記基準基地局が前記第２の基地局である場合、前記第２の基地局によって送信された前記時間調整値を獲得するステップ、及び、前記調整値に従って時間調整を実行するステップ、
を更に含む、請求項３８から４３のいずれか一項に記載のエアインターフェースベースの同期方法。
【請求項４５】
第２の基地局によって、時間差要求メッセージを第１の基地局に送信するステップであって、結果として前記第１の基地局は、第１のユーザ機器ＵＥのアクティブランダムアクセスを使用することによって、前記第１の基地局と前記第２の基地局との間の第１の時間差を獲得する、送信するステップ、
前記第２の基地局によって、少なくとも１つの時間差を獲得するステップ、及び、前記少なくとも１つの時間差及び基準基地局の基準時間に従って、非基準基地局の時間調整値を獲得するステップであって、前記時間差は前記第１の基地局と前記第２の基地局との間の時間差であり、前記少なくとも１つの時間差は前記第１の時間差を含み、前記第１の基地局は前記基準基地局であり、前記第２の基地局は前記非基準基地局であるか、又は、前記第２の基地局は前記基準基地局であり、前記第１の基地局は前記非基準基地局である、獲得するステップ、並びに、
前記第２の基地局によって、前記時間調整値を前記非基準基地局に送信するステップであって、結果として前記非基準基地局は前記時間調整値に従って時間調整を実行する、送信するステップ、
を含む、エアインターフェースベースの同期方法。
【請求項４６】
時間差要求メッセージを第１の基地局に送信する前記ステップは、
前記時間差要求メッセージを前記第１の基地局に定期的に送信するステップ、又は、
前記第１の基地局の負荷状況に従って、前記第１の基地局の負荷が負荷しきい値よりも低い場合に、前記時間差要求メッセージを前記第１の基地局に送信するステップ、
を含む、請求項４５に記載のエアインターフェースベースの同期方法。
【請求項４７】
前記少なくとも１つの時間差及び基準基地局の基準時間に従って、非基準基地局の時間調整値を獲得する前記ステップは、
前記第２の基地局が少なくとも２つの時間差を獲得する場合、前記第２の基地局によって、前記少なくとも２つの時間差を平均化するステップ、又は、最小差の２つの時間差を平均化するステップ、又は、前記複数の時間差の最大値及び最小値を除去して、残りの時間差を平均化するステップ、並びに、平均化する前記ステップを介して取得された時間差及び前記基準基地局の前記基準時間に従って、前記非基準基地局の前記時間調整値を獲得するステップ、
を含む、請求項４５又は４６に記載のエアインターフェースベースの同期方法。
【請求項４８】
前記第２の基地局によって、前記時間調整値を前記非基準基地局に送信する前記ステップは、
前記第２の基地局によって、前記時間調整値に従い、前記非基準基地局が時間調整を実行する必要があるかどうかを判定するステップ、及び、前記非基準基地局が時間調整を実行する必要がある場合、前記時間調整値を前記非基準基地局に送信するステップ、
を更に含む、請求項４５から４７のいずれか一項に記載のエアインターフェースベースの同期方法。
【請求項４９】
前記第２の基地局によって、前記第１の基地局によって送信された第１のランダムアクセスプリアンブルを受信するステップ、ランダムアクセスプリアンブル検出を開始するステップ、及び、前記ランダムアクセスプリアンブル検出の正常な開始の確認応答メッセージを前記第１の基地局に送信するステップ、を更に含み、結果として、前記第１の基地局は、前記第１のランダムアクセスプリアンブルを使用することによって、アクティブランダムアクセスを実行するために、前記第１のＵＥをトリガし、
前記第２の基地局によって、アクティブランダムアクセスを起動するために、前記第１のＵＥによって使用される前記第１のランダムアクセスプリアンブルを検出することによって、第２の受信瞬間を獲得するステップ、及び、前記第２の受信瞬間を前記第１の基地局に送信するステップを、更に含み、結果として前記第１の基地局は、第１の受信瞬間及び前記第２の受信瞬間に従って、前記第１の時間差を計算し、前記第１の受信瞬間は、前記第１の基地局が前記第１のランダムアクセスプリアンブルを検出した瞬間である、
請求項４５から４８のいずれか一項に記載のエアインターフェースベースの同期方法。
【請求項５０】
前記基準基地局が前記第１の基地局である場合、前記第２の基地局によって、前記時間調整値に従って時間調整を実行するステップ、
を更に含む、請求項４５から４９のいずれか一項に記載のエアインターフェースベースの同期方法。
【請求項５１】
請求項１から４のいずれか一項に記載の中央コントローラデバイス、請求項５から１０のいずれか一項に記載の基地局、及び、請求項１１から１２のいずれか一項に記載の基地局、
を備える、無線通信システム。
【請求項５２】
請求項２５から３１のいずれか一項に記載の基地局、及び請求項３２から３７のいずれか一項に記載の基地局、
を備える、無線通信システム。
【発明の詳細な説明】
【技術分野】
【０００１】
本発明は、無線通信の分野に関し、特に、エアインターフェースベースの同期方法、基地局、制御装置、及び無線通信システムに関する。
【背景技術】
【０００２】
無線ネットワーク容量に対する要件が増加するにつれて、より多くのネットワーク容量を取得するために、サイトはより高密度で配設される。ロングタームエボリューション（Ｌｏｎｇ  Ｔｅｒｍ  Ｅｖｏｌｕｔｉｏｎ，ＬＴＥ）システムの場合、同種ネットワーク（Ｈｏｍｏｇｅｎｏｕｓ  Ｎｅｔｗｏｒｋ，  ＨｏｍＮｅｔ）であるか異種ネットワーク（Ｈｅｔｅｒｏｇｅｎｅｏｕｓ  Ｎｅｔｗｏｒｋ，ＨｏｍＮｅｔ）であるかにかかわらず、サイトはより高密度で配設されるため、セル間の干渉はより激しくなる。結果として、セルの境界上でのユーザのスループットは低下し、深刻な場合、エッジユーザの通常作業は影響を受ける。エッジユーザのスタガリングリソースは、セル間の干渉問題を解決することができる。従来技術の方法は、セル間の時間領域干渉調整を使用している。異なるセル間のサブフレームの使用調整の助けにより、セル間の干渉のスタガリングが実装される。これは具体的には、オールモストブランクサブフレーム（Ａｌｍｏｓｔ  Ｂｌａｎｋ  Ｓｕｂｆｒａｍｅｓ，ＡＢＳ）技術を使用することによって実装される。ＡＢＳサブフレームはデータをまったく送信せず、基準信号のみを伝送する。干渉セルに対するいくつかのサブフレームはＡＢＳサブフレームとして設定され、被干渉セルは対応するサブフレーム内でほとんど干渉されない。
【０００３】
セル間時間領域干渉調整を実装することの前提条件は、セル間の時刻同期である。一般的な方法は、全地球測位システム（Ｇｌｏｂａｌ  Ｐｏｓｉｔｉｏｎｉｎｇ  Ｓｙｓｔｅｍ，ＧＰＳ）を使用することによってセル間の時刻同期を実行しており、各サイトに対してＧＰＳを構成することが必要である。ＧＰＳベースの同期技術はハード同期技術と呼ばれる。ＧＰＳの使用による時刻同期の実行には、高建設費及び高保守費の問題がある。
【発明の概要】
【０００４】
本発明の実施形態は、ＧＰＳを使用することによって基地局間の時刻同期を実行する従来技術方法における高建設費及び高保守費の問題を解決するように、基地局、装置、及び無線通信システム間でエアインターフェースベースの時刻同期を実装するための、処理方法を提供する。
【０００５】
本発明の実施形態は、具体的には、下記の技術ソリューションを使用することで実装可能である。
【０００６】
第１の態様によれば、中央コントローラ装置が提供され、装置は、
時間調整値処理ユニットであって、少なくとも１つの時間差を獲得するように、並びに少なくとも１つの時間差及び第１の基地局の基準時間に従って第２の基地局の時間調整値を獲得するように構成され、時間差は第１の基地局と第２の基地局との間の時間差であり、少なくとも１つの時間差は第１の時間差を含み、第１の時間差は、第１の基地局と第２の基地局との間の、第１のユーザ機器ＵＥのアクティブランダムアクセスを使用することによって獲得される時間差であり、第１の基地局は基準基地局であり、第２の基地局は非基準基地局である、時間調整値処理ユニット、並びに、
時間調整値処理ユニットによって獲得された時間調整値を第２の基地局に送信するように構成され、結果として第２の基地局が時間調整値に従って時間調整を実行する、調整値送信ユニット、
を含む。
【０００７】
エアインターフェースベースの同期における中央コントローラの処理方法が更に提供され、方法は、
中央コントローラによって、少なくとも１つの時間差を獲得するステップ、及び、少なくとも１つの時間差及び第１の基地局の基準時間に従って第２の基地局の時間調整値を獲得するステップであって、時間差は第１の基地局と第２の基地局との間の時間差であり、少なくとも１つの時間差は第１の時間差を含み、第１の時間差は、第１の基地局と第２の基地局との間の、第１のユーザ機器ＵＥのアクティブランダムアクセスを使用することによって獲得される時間差であり、第１の基地局は基準基地局であり、第２の基地局は非基準基地局である、獲得するステップ、並びに、
中央コントローラによって、時間調整値を第２の基地局に送信するステップであって、結果として第２の基地局が時間調整値に従って時間調整を実行する、送信するステップ、
を含む。
【０００８】
中央コントローラ装置が更に提供され、装置は、
プロセッサ、メモリ、及びインターフェースを含み、
インターフェースは、基地局と情報交換を実行するように構成され、
メモリはプログラムコードを記憶するように構成され、プロセッサは、エアインターフェースベースの同期における中央コントローラの処理方法を実行するように、メモリ内に記憶されたプログラムコードを呼び出す。
【０００９】
第２の態様によれば、第１の基地局装置が提供され、装置は、
中央コントローラによって送信された時間差要求メッセージを受信した後、第１のユーザ機器ＵＥを選択するように構成された、ユーザ選択ユニット、
ユーザ選択ユニットによって選択された第１のＵＥに従い、第１のＵＥのアクティブランダムアクセスを使用することによって、第１の基地局と第２の基地局との間の第１の時間差を獲得するように構成された、時間差計算ユニット、並びに、
時間差計算ユニットによって獲得された第１の時間差を中央コントローラに送信するように構成され、結果として中央コントローラは、獲得された少なくとも１つの時間差及び第１の基地局の基準時間に従って、第２の基地局の時間調整値を獲得する、時間差送信ユニットであって、少なくとも１つの時間差は第１の時間差を含み、第１の基地局は基準基地局であり、第２の基地局は非基準基地局である、時間差送信ユニット、
を含む。
【００１０】
エアインターフェースベースの同期における第１の基地局の処理方法が更に提供され、方法は、
中央コントローラによって送信された時間差要求メッセージを受信した後、第１の基地局によって第１のユーザ機器ＵＥを選択するステップ、
第１のＵＥのアクティブランダムアクセスを使用することによって、第１の基地局と第２の基地局との間の第１の時間差を、第１の基地局によって獲得するステップ、並びに、
第１の基地局によって、第１の時間差を中央コントローラに送信するステップであって、結果として中央コントローラは、獲得された少なくとも１つの時間差及び第１の基地局の基準時間に従って、第２の基地局の時間調整値を獲得し、少なくとも１つの時間差は第１の時間差を含み、第１の基地局は基準基地局であり、第２の基地局は非基準基地局である、送信するステップ、
を含む。
【００１１】
第１の基地局装置が更に提供され、装置は、
プロセッサ、メモリ、トランシーバ、及びインターフェースを含み、
インターフェースは、基地局間での情報交換若しくは基地局とコアネットワークとの間での情報交換のために構成されるか、又は中央コントローラとの情報交換のために構成され、
トランシーバは、ユーザ機器と情報を交換するように構成され、並びに、
メモリはプログラムコードを記憶するように構成され、プロセッサは、エアインターフェースベースの同期における第１の基地局の処理方法を実行するために、メモリ内に記憶されたプログラムコードを呼び出す。
【００１２】
第３の態様によれば、第２の基地局装置が提供され、装置は、
中央コントローラによって送信された時間調整値を受信するように構成された、調整値獲得ユニットであって、時間調整値は、第１の基地局と第２の基地局との間の少なくとも１つの時間差及び第１の基地局の基準時間に従って、中央コントローラによって獲得された第２の基地局の時間調整値であり、少なくとも１つの時間差は第１の時間差を含み、第１の時間差は、時間差要求メッセージに従って第１の基地局によって、及び第１のユーザ機器ＵＥのアクティブランダムアクセスを使用することによって、獲得される時間差である、調整値獲得ユニット、並びに、
調整値獲得ユニットによって獲得された時間調整値に従って時間調整を実行するように構成された、時間調整ユニット、
を含む。
【００１３】
エアインターフェースベースの同期における第２の基地局の処理方法が更に提供され、方法は、
第２の基地局によって、中央コントローラによって送信された時間調整値を受信するステップであって、時間調整値は、第１の基地局と第２の基地局との間の少なくとも１つの時間差及び第１の基地局の基準時間に従って、中央コントローラによって獲得される第２の基地局の時間調整値であり、少なくとも１つの時間差は第１の時間差を含み、第１の時間差は、時間差要求メッセージに従って第１の基地局によって、及び第１のユーザ機器ＵＥのアクティブランダムアクセスを使用することによって、獲得される時間差である、受信するステップ、並びに、
第２の基地局によって、時間調整値に従って時間調整を実行するステップ、
を含む。
【００１４】
第２の基地局装置が更に提供され、装置は、
プロセッサ、メモリ、トランシーバ、及びインターフェースを含み、
インターフェースは、基地局間での情報交換若しくは基地局とコアネットワークとの間での情報交換のために構成されるか、又は中央コントローラとの情報交換のために構成され、
トランシーバは、ユーザ機器と情報を交換するように構成され、並びに、
メモリはプログラムコードを記憶するように構成され、プロセッサは、エアインターフェースベースの同期における第２の基地局の処理方法を実行するために、メモリ内に記憶されたプログラムコードを呼び出す。
【００１５】
第４の態様によれば、第１の基地局装置が提供され、装置は、
第２の基地局によって送信された時間差要求メッセージを受信した後、第１のユーザ機器ＵＥを選択するように構成された、ユーザ選択ユニット、
ユーザ選択ユニットによって選択された第１のＵＥに従い、第１のＵＥのアクティブランダムアクセスを使用することによって、第１の基地局と第２の基地局との間の第１の時間差を獲得するように構成された、時間差計算ユニット、並びに、
時間差計算ユニットによって獲得された第１の時間差を第２の基地局に送信するように構成された、時間差送信ユニットであって、結果として第２の基地局は、獲得された少なくとも１つの時間差及び基準基地局の基準時間に従って、非基準基地局の時間調整値を獲得し、少なくとも１つの時間差は第１の時間差を含み、基準基地局は第１の基地局であり、非基準基地局は第２の基地局であるか、又は、基準基地局は第２の基地局であり、非基準基地局は第１の基地局である、時間差送信ユニット、
を含む。
【００１６】
エアインターフェースベースの同期における第１の基地局の処理方法が更に提供され、方法は、
第２の基地局によって送信された時間差要求メッセージを受信した後、第１の基地局によって第１のユーザ機器ＵＥを選択するステップ、
第１のＵＥのアクティブランダムアクセスを使用することによって、第１の基地局と第２の基地局との間の第１の時間差を、第１の基地局によって獲得するステップ、並びに、
第１の基地局によって、第１の時間差を第２の基地局に送信するステップであって、結果として第２の基地局は、獲得された少なくとも１つの時間差及び基準基地局の基準時間に従って、非基準基地局の時間調整値を獲得し、少なくとも１つの時間差は第１の時間差を含み、第１の基地局は基準基地局であり、第２の基地局は非基準基地局であるか、又は、第２の基地局は基準基地局であり、第１の基地局は非基準基地局である、送信するステップ、
を含む。
【００１７】
第１の基地局装置が更に提供され、装置は、
プロセッサ、メモリ、トランシーバ、及びインターフェースを含み、
インターフェースは、基地局間での情報交換又は基地局とコアネットワークとの間での情報交換のために構成され、
トランシーバは、ユーザ機器と情報を交換するように構成され、並びに、
メモリはプログラムコードを記憶するように構成され、プロセッサは、エアインターフェースベースの同期における第１の基地局の処理方法を実行するために、メモリ内に記憶されたプログラムコードを呼び出す。
【００１８】
第５の態様によれば、第２の基地局装置が提供され、装置は、
時間差要求メッセージを第１の基地局に送信するように構成され、結果として第１の基地局は、第１のユーザ機器ＵＥのアクティブランダムアクセスを使用することによって、第１の基地局と第２の基地局との間の第１の時間差を獲得する、時間差要求ユニット、
少なくとも１つの時間差を獲得するように、並びに、少なくとも１つの時間差及び基準基地局の基準時間に従って非基準基地局の時間調整値を獲得するように構成された、時間調整値処理ユニットであって、時間差は第１の基地局と第２の基地局との間の時間差であり、少なくとも１つの時間差は第１の時間差を含み、基準基地局は第１の基地局であり、非基準基地局は第２の基地局であるか、又は、基準基地局は第２の基地局であり、非基準基地局は第１の基地局である、時間調整値処理ユニット、並びに、
時間調整値処理ユニットによって獲得された時間調整値を非基準基地局に送信するように構成され、結果として非基準基地局は時間調整値に従って時間調整を実行する、調整値送信ユニット、
を含む。
【００１９】
エアインターフェースベースの同期における第２の基地局の処理方法が更に提供され、方法は、
第２の基地局によって、時間差要求メッセージを第１の基地局に送信するステップであって、結果として第１の基地局は、第１のユーザ機器ＵＥのアクティブランダムアクセスを使用することによって、第１の基地局と第２の基地局との間の第１の時間差を獲得する、送信するステップ、
第２の基地局によって、少なくとも１つの時間差を獲得するステップ、並びに、少なくとも１つの時間差及び基準基地局の基準時間に従って非基準基地局の時間調整値を獲得するステップであって、時間差は第１の基地局と第２の基地局との間の時間差であり、少なくとも１つの時間差は第１の時間差を含み、第１の基地局は基準基地局であり、第２の基地局は非基準基地局であるか、又は、第２の基地局は基準基地局であり、第１の基地局は非基準基地局である、獲得するステップ、並びに、
第２の基地局によって、時間調整値を非基準基地局に送信するステップであって、結果として非基準基地局は時間調整値に従って時間調整を実行する、送信するステップ、
を含む。
【００２０】
第２の基地局装置が更に提供され、装置は、
プロセッサ、メモリ、トランシーバ、及びインターフェースを含み、
インターフェースは、基地局間での情報交換又は基地局とコアネットワークとの間での情報交換のために構成され、
トランシーバは、ユーザ機器と情報を交換するように構成され、並びに、
メモリはプログラムコードを記憶するように構成され、プロセッサは、エアインターフェースベースの同期における第２の基地局の処理方法を実行するために、メモリ内に記憶されたプログラムコードを呼び出す。
【００２１】
前述の実施形態の説明からわかるように、本発明の実装方法によれば、ユーザ機器のアクティブランダムアクセスを使用することによって、シグナリング対話を用いて基地局間の時間差を獲得することが可能であり、非基準基地局の時間調整値が基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【図面の簡単な説明】
【００２２】
【図１】本発明の実施形態に従った、無線通信ネットワークの概略図である。
【図２】本発明の実施形態に従った、エアインターフェースベースの同期装置の概略構造図である。
【図３】本発明の実施形態に従った、エアインターフェースベースの同期における中央コントローラの処理方法である。
【図４】本発明の実施形態に従った、エアインターフェースベースの同期における基地局の処理方法である。
【図５】本発明の実施形態に従った、エアインターフェースベースの同期における基地局の処理方法である。
【図６】本発明の実施形態に従った、基地局間の時間差を獲得する方法である。
【図７】本発明の実施形態に従った、エアインターフェースベースの同期における別の基地局の処理方法である。
【図８】本発明の実施形態に従った、エアインターフェースベースの同期における別の基地局の処理方法である。
【図９】本発明の実施形態に従った、基地局間の時間差を獲得する別の方法である。
【図１０】本発明の実施形態に従った、エアインターフェースベースの同期を実装する基地局の概略構造図である。
【図１１】本発明の実施形態に従った、エアインターフェースベースの同期における中央コントローラ装置の概略図である。
【図１２】本発明の実施形態に従った、エアインターフェースベースの同期における基地局装置の概略図である。
【図１３】本発明の実施形態に従った、エアインターフェースベースの同期における基地局装置の概略図である。
【図１４】本発明の実施形態に従った、エアインターフェースベースの同期を実装する基地局装置の別の概略図である。
【図１５】本発明の実施形態に従った、エアインターフェースベースの同期を実装する基地局装置の別の概略図である。
【発明を実施するための形態】
【００２３】
下記は、本発明の実施形態における添付の図面を参照しながら、本発明の実施形態における技術ソリューションを明確且つ完全に説明する。一見したところ、説明する実施形態は本発明の実施形態のうちの単なる一部であり、すべてではない。創造的な取り組みをせずに本発明の実施形態に基づいて当業者によって得られる他のすべての実施形態は、本発明の保護範囲内にあるものとする。
【００２４】
図１は、本発明の実施形態に従った無線通信ネットワーク１００である。ネットワークは、ロングタームエボリューション（Ｌｏｎｇ  Ｔｅｒｍ  Ｅｖｏｌｕｔｉｏｎ、ＬＴＥ）ネットワークであり得るか、又はＬＴＥ−Ａｄｖａｎｃｅｄネットワークであり得る。無線通信ネットワークは、いくつかの基地局（例えば１０２ａ、１０２ｂ、１０２ｃ、及び１０２ｄ）、中央コントローラ１０１、及び、いくつかのユーザ機器（例えば１０３ａ、１０３ｂ、及び１０３ｃ）の通信をサポートするために使用される別のネットワークエンティティ（例えばコアネットワーク、但し図１にコアネットワークデバイスは図示せず）を含む。
【００２５】
基地局１０２は、ＬＴＥにおける進化型ノードＢ（ｅｖｏｌｖｅｄ  ＮｏｄｅＢ，ｅＮｏｄｅＢ）である。基地局は、１つ又は複数のセルをサポート／管理することができる。各基地局は複数のＵＥにサービスを提供することができる。ＵＥはネットワークアクセスを起動するためにセルを選択し、基地局１０２を用いて音声及び／又はデータのサービスを実行する。
【００２６】
ユーザ機器（Ｕｓｅｒ  Ｅｑｕｉｐｍｅｎｔ，ＵＥ）１０３は、移動端末（Ｍｏｂｉｌｅ  Ｔｅｒｍｉｎａｌ，ＭＴ）、移動局（Ｍｏｂｉｌｅ  Ｓｔａｔｉｏｎ，ＭＳ）などと呼ばれる場合もある。
【００２７】
ネットワーク内のすべての基地局間で時刻同期を達成するために、１つの基地局を選択し、その基地局を基準点として使用して、その基地局の時間に合致するように他の基地局の時間を調整することができる。基準点として選択された基地局は基準基地局と呼ばれ、他の基地局は非基準基地局と呼ばれる。
【００２８】
中央コントローラ１０１は、各基地局と情報を交換することができる。基地局間の少なくとも１つの時間差が獲得され、少なくとも１つの時間差及び基準基地局の基準時間に従って、基準基地局に対する非基準基地局の時間調整値が獲得され、時間調整値が非基準基地局に送信され、結果として非基準基地局は、基準基地局と同期した時間を維持するために時間調整値に従って時間調整を実行する。中央コントローラ１０１は基地局から独立し、独立ネットワーク要素として働くか、又は１つの基地局内に配設され、基地局の機能エンティティとして働くことが可能である。システムは基準基地局の時間を基準時間として使用し、他の基地局は非基準基地局として使用する。非基準基地局の時間と基準時間との間に偏差が存在する場合、非基準基地局の時間が調整され、結果として非基準基地局は基準基地局と同期した時間を維持する。
【００２９】
実施形態１
図３は、本発明の実施形態に従った、エアインターフェースベースの同期ソリューションにおける中央コントローラの処理方法である。詳細は下記の通りである。
【００３０】
Ｓ３０１：少なくとも１つの時間差を獲得し、ここで時間差は第１の基地局と第２の基地局との間の時間差である。
【００３１】
少なくとも１つの時間差は第１の時間差を含み、ここで第１の時間差は、第１の基地局と第２の基地局との間の、第１のＵＥのアクティブランダムアクセスを使用することによって獲得される、第１の時間差である。アクティブランダムアクセスは、非競合ベースのランダムアクセスである、アップリンク再同期とも呼ばれることがある。第１の時間差は、第１の基地局と第２の基地局との間の、第１の受信瞬間及び第２の受信瞬間に従って第１の基地局によって計算される時間差とすることが可能であって、第１の受信瞬間は第１の基地局が第１のランダムアクセスプリアンブルを受信する瞬間であり、第２の受信瞬間は第２の基地局が第１のランダムアクセスプリアンブルを受信する瞬間である。第１のランダムアクセスプリアンブルは、第１の基地局へのアクティブランダムアクセスを実行するために第１のＵＥに使用されるプリアンブルであり、第１の基地局によって第１のＵＥに割り振られるランダムアクセスプリアンブルでもある。
【００３２】
中央コントローラは、時間差要求メッセージを第１の基地局若しくは第２の基地局に定期的に送信することが可能であり、又は、第１の基地局若しくは第２の基地局の負荷状況に従って、第１の基地局若しくは第２の基地局の負荷が負荷しきい値よりも低い場合に、時間差要求メッセージを第１の基地局又は第２の基地局に送信することが可能であり、又は、システムの要件に従って、時間差要求メッセージを第１の基地局若しくは第２の基地局に送信することが可能であり、結果として第１の基地局又は第２の基地局は、時間差要求メッセージに従って第１のＵＥを選択し、第１のＵＥのアクティブランダムアクセスを使用することによって、第１の基地局と第２の基地局との間の第１の時間差を獲得する。第２の基地局及び第１の基地局は、互いに隣接する基地局である。
【００３３】
中央コントローラは、時間差要求メッセージを第１の基地局に少なくとも１回送信すること、及び、第１の基地局を使用することによって少なくとも１つの時間差を獲得することが可能である。中央コントローラは、時間差要求メッセージを第２の基地局に少なくとも１回送信すること、及び、第２の基地局を使用することによって少なくとも１つの時間差を獲得することが可能であることが理解できよう。
【００３４】
Ｓ３０３：少なくとも１つの時間差及び第１の基地局の基準時間に従って、第２の基地局の時間調整値を獲得し、ここで第１の基地局は基準基地局であり、第２の基地局は非基準基地局である。
【００３５】
中央コントローラは、第１の基地局に対する第２の基地局の時間差、又は第２の基地局に対する第１の基地局の時間差を取得するために、前述の少なくとも１つの時間差を処理する。
【００３６】
中央コントローラは、システム内の基準基地局の基準時間に従って非基準基地局の時間調整値を決定し、結果として非基準基地局は、時間調整値に従って時間調整を実行し、基準基地局の時間との同期を維持する。
【００３７】
１つの時間差のみが存在する場合、中央コントローラは、第１の基地局の基準時間及び獲得された１つの時間差に従って、第１の基地局に対する第２の基地局の時間調整値を獲得し、すなわち、基準基地局に対する非基準基地局の時間調整値を獲得する。
【００３８】
少なくとも２つの時間差が存在する場合、中央コントローラは少なくとも２つの時間差を処理し、ここで処理は、平均化すること、又は、最小差の２つの時間差を平均化すること、又は、複数の時間差から最大値及び最小値を除去し、残りの時間差を平均化することを含む。中央コントローラは、第１の基地局の時間差及び平均化の後に取得された時間差に従って、第１の基地局に対する第２の基地局の時間調整値を獲得し、すなわち、基準基地局に対する非基準基地局の時間調整値を獲得する。
【００３９】
Ｓ３０４：時間調整値を第２の基地局に送信する。
【００４０】
基準基地局に対する非基準基地局の時間調整値を獲得した後、中央コントローラは時間調整値を非基準基地局に送信し、結果として非基準基地局は、基準基地局と同期した時間を維持するために、時間調整値に従って時間調整を実行する。
【００４１】
基準基地局は第１の基地局である。中央コントローラは時間調整値を第２の基地局に送信し、結果として第２の基地局は時間調整値に従って時間調整を実行する。
【００４２】
基地局が前述の中央コントローラの機能を有する場合、前述の処理方法は基地局によって実行される。
【００４３】
図４は、本発明の実施形態に従った、エアインターフェースベースの時刻同期ソリューションにおける第１の基地局の処理方法である。詳細は下記の通りである。
【００４４】
Ｓ４０１：中央コントローラによって送信された時間差要求メッセージを受信した後、第１の基地局は、第１のユーザ機器のアクティブランダムアクセスを使用することによって、第１の基地局と第２の基地局との間の第１の時間差を獲得する。
【００４５】
時間差要求メッセージを受信した後、第１の基地局は第１のＵＥを選択して、第１のランダムアクセスプリアンブルを第１のＵＥに割り振り、ここで第１のランダムアクセスプリアンブルは非競合ベースのランダムアクセスプリアンブルであり、結果として第１のＵＥは、第１のランダムアクセスプリアンブルを使用することによって、第１の基地局へのアクティブランダムアクセスを起動する。第１のＵＥは、第１の基地局にアクセスするＵＥである。
【００４６】
第２の基地局は第１の基地局の隣接基地局である。第１の基地局は、第１の受信瞬間及び第２の受信瞬間に従って第１の時間差を計算し、ここで第１の受信瞬間は、第１の基地局が第１のランダムアクセスプリアンブルを受信した瞬間であり、第２の受信瞬間は、第２の基地局が第１のランダムアクセスプリアンブルを受信した瞬間であって、第１の基地局は、第２の基地局によって送信された第２の受信瞬間を受信する。
【００４７】
Ｓ４０２：第１の基地局は第１の時間差を中央コントローラに送信し、結果として中央コントローラは、獲得された少なくとも１つの時間差及び第１の基地局の基準時間に従って、第２の基地局の時間調整値を獲得し、ここで第１の基地局は基準基地局であり、第２の基地局は非基準基地局である。
【００４８】
少なくとも１つの時間差は第１の時間差を含む。
【００４９】
図５は、本発明の実施形態に従った、エアインターフェースベースの時刻同期ソリューションにおける第２の基地局の処理方法である。詳細は下記の通りである。
【００５０】
Ｓ５０１：第２の基地局は、中央コントローラによって送信された時間調整値を獲得する。
【００５１】
第２の基地局は中央コントローラによって送信された時間調整値を受信し、ここで時間調整値は、第１の基地局と第２の基地局との間の少なくとも１つの時間差及び第１の基地局の基準時間に従って、中央コントローラによって獲得された、第１の基地局に対する第２の基地局の時間調整値である。少なくとも１つの時間差は第１の時間差を含み、ここで第１の時間差は、時間差要求メッセージに従い、第１のＵＥのアクティブランダムアクセスを使用することによって、第１の基地局によって獲得された時間差である。
【００５２】
Ｓ５０２：第２の基地局は、時間調整値に従って時間調整を実行する。
【００５３】
第２の基地局は、時刻同期を完了するために、獲得された時間調整値に従って時間調整を実行する。
【００５４】
前述の中央コントローラの処理方法、第１の基地局の処理方法、及び第２の基地局の処理方法は、第２の基地局が中央コントローラの時間差要求メッセージを受信した場合にも適用可能であることが理解できよう。第２の基地局が基準基地局であり、第１の基地局が非基準基地局である場合にも、前述の処理方法が適用可能である。
【００５５】
本実施形態において、基地局間の時間差が、ユーザ機器のアクティブランダムアクセスを使用することによって、シグナリング対話を用いて獲得され、非基準基地局の時間調整値が基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【００５６】
実施形態２
図１に示された無線通信システムにおいて、ユーザ機器のアクティブランダムアクセスを使用することによって基地局間でエアインターフェースベースの時刻同期を実行するプロセスを、下記で詳細に説明する。
【００５７】
図６は、下記で説明するような、本発明の実施形態に従った基地局間の時間差を獲得する方法である。
【００５８】
Ｓ６０１：中央コントローラは時間差要求メッセージを第１の基地局に送信し、ここで中央コントローラは、時間差要求メッセージを第１の基地局に定期的に送信することが可能であり、又は、第１の基地局の負荷状況若しくはサービス状況に従って、第１の基地局の負荷が負荷しきい値よりも低い場合に、時間差要求メッセージを第１の基地局に送信することが可能であり、又は、システムの要件に従って、時間差要求メッセージを第１の基地局に送信することが可能である。
【００５９】
Ｓ６０２（ａ）：中央コントローラによって送信された時間差要求メッセージを受信した後、第１の基地局は第１のＵＥを選択し、ここで第１のＵＥは第１の基地局にアクセスするＵＥである。
【００６０】
任意選択で、第１の基地局は、第１のＵＥによって測定された第１の基地局のダウンリンクＲＳＲＰと、第１のＵＥによって測定された第２の基地局のダウンリンクＲＳＲＰとを獲得することが可能であって、ここで第２の基地局は第１の基地局の隣接基地局である。第１の基地局のダウンリンクＲＳＲＰと第２の基地局のダウンリンクＲＳＲＰとの間の差異が、第１のしきい値よりも小さい場合、第１の基地局は第１のＵＥをエッジＵＥとみなし、すなわち第１のＵＥは、第１の基地局と第２の基地局のカバレッジの重複領域内に位置し、第１のＵＥから第１の基地局への伝送遅延は、第１のＵＥから第２の基地局への伝送遅延にほぼ等しいものとみなすことが可能であり、その後第１のＵＥが選択され、すなわち、第１のＵＥによって測定された第１の基地局のダウンリンク信号強度と、第１のＵＥによって測定された第２の基地局のダウンリンク信号強度との差異は、第１のしきい値よりも小さい。ダウンリンク信号強度は、ダウンリンク基準信号受信電力（Ｒｅｆｅｒｅｎｃｅ  Ｓｉｇｎａｌ  Ｒｅｃｅｉｖｅｄ  Ｐｏｗｅｒ，ＲＳＲＰ）とすることが可能であるか、又は、信号強度を表す別の測定値、例えば信号対干渉プラス雑音比（Ｓｉｇｎａｌ  ｔｏ  Ｉｎｔｅｒｆｅｒｅｎｃｅ  ｐｌｕｓ  Ｎｏｉｓｅ  Ｒａｔｉｏ，ＳＩＮＲ）とすることが可能である。
【００６１】
Ｓ６０２（ｂ）：第１の基地局は、選択された第１のＵＥに第１のランダムアクセスプリアンブルを割り振り、ここで第１のランダムアクセスプリアンブルは非競合ベースのランダムアクセスプリアンブルであって、結果として第１のＵＥは、第１のランダムアクセスプリアンブルを使用することによって、第１の基地局へのアクティブランダムアクセスを起動する。
【００６２】
Ｓ６０３：第１の基地局は、第１のランダムアクセスプリアンブルを第２の基地局に送信する。
【００６３】
Ｓ６０４：第２の基地局は、第１のランダムアクセスプリアンブルを獲得した後、ランダムアクセスプリアンブル検出を開始する。第１の基地局は第１のＵＥのサービング基地局であり、第２の基地局は第１のＵＥのサービング基地局ではない。したがって、第１のＵＥのランダムアクセスプリアンブルを検出することによって基地局間の時間差を獲得するために、第２の基地局は、第１の基地局によって送信された第１のランダムアクセスプリアンブルを獲得した後、ランダムアクセスプリアンブルの検出を開始する必要がある。第２の基地局がランダムアクセスプリアンブル検出を開始することは、第２の基地局が最初に第１のランダムアクセスプリアンブルを検出する必要がないことであると理解できるが、基地局によってランダムアクセスプリアンブルを検出することにより、基地局間の時間差を獲得するためには、第２の基地局が第１のランダムアクセスプリアンブルを検出する必要がある。
【００６４】
Ｓ６０５：ランダムアクセスプリアンブル検出を開始した後、第２の基地局は、ランダムアクセスプリアンブル検出の正常な開始の確認応答メッセージを第１の基地局に送信する。
【００６５】
Ｓ６０６：第２の基地局によって送信されたランダムアクセスプリアンブル検出の正常な開始の確認応答メッセージを受信した後、第１の基地局は、アクティブランダムアクセスを起動するために第１のＵＥをトリガし、すなわち、アップリンク再同期を実行するために第１のＵＥをトリガする。具体的に言えば、第１の基地局は物理ダウンリンク制御チャネルオーダー（Ｐｈｙｓｉｃａｌ  Ｄｏｗｎｌｉｎｋ  Ｃｏｎｔｒｏｌ  Ｃｈａｎｎｅｌ  Ｏｒｄｅｒ，ＰＤＣＣＨ  Ｏｒｄｅｒ）を第１のＵＥに送信し、ここでＰＤＣＣＨ  Ｏｒｄｅｒは、第１の基地局によって第１のＵＥに割り振られた第１のランダムアクセスプリアンブルのインデックスを搬送する。
【００６６】
Ｓ６０７：ＰＤＣＣＨ  Ｏｒｄｅｒを受信した後、第１のＵＥは、ＰＤＣＣＨ  Ｏｒｄｅｒで搬送した第１のランダムアクセスプリアンブルのインデックスに対応する第１のランダムアクセスプリアンブルに従って、第１の基地局へのランダムアクセスを起動する。
【００６７】
Ｓ６０８（ａ）：第１の基地局は、第１のランダムアクセスプリアンブルを検出して、第１の受信瞬間を獲得し、ここで第１の受信瞬間は、第１の基地局が第１のランダムアクセスプリアンブル検出する瞬間である。
【００６８】
Ｓ６０８（ｂ）：第２の基地局は、第１のランダムアクセスプリアンブルを検出して、第２の受信瞬間を獲得し、ここで第２の受信瞬間は、第２の基地局が第１のランダムアクセスプリアンブル検出する瞬間である。ステップＳ６０８（ａ）とステップＳ６０８（ｂ）との間に特定のシーケンスは存在しない。
【００６９】
Ｓ６０９：第２の基地局は、第２の受信瞬間を第１の基地局に送信する。
【００７０】
第１の基地局は第２の受信瞬間を獲得する。
【００７１】
Ｓ６１０：第１の基地局は、第１の受信瞬間及び第２の受信瞬間に従って、第１の基地局と第２の基地局との間の第１の時間差を計算する。
【００７２】
任意選択で、第２の基地局は、第１のランダムアクセスプリアンブルのインデックス及び第２の受信瞬間を第１の基地局に送信し、第１の時間差を計算する前に、第１の基地局は、第１の受信瞬間に対応するランダムアクセスプリアンブルのインデックスと、第２の受信瞬間に対応するランダムアクセスプリアンブルのインデックスとを比較し、インデックスが同じである場合、第１の基地局は第１の時間差を計算する。中央コントローラによって送信された時間差要求メッセージを受信した後、第１の基地局は、第１のＵＥのアクティブランダムアクセスを使用することによって、第１の基地局と第２の基地局との間の第１の時間差を獲得する。
【００７３】
第１の基地局と第２の基地局との間の第１の時間差は、下記のように計算される。
第１の時間差＝（第２の受信瞬間−第１の受信瞬間）、又は、
第１の時間差＝（第１の受信瞬間−第２の受信瞬間）
【００７４】
本発明は、時間差の計算方法が一貫していること、例えば、すべてのケースで第２の基地局に対する第１の基地局の時間差が計算されることが保証できる限り、第１の基地局と第２の基地局との間の時間差の計算方法を限定しない。
【００７５】
ＬＴＥシステムの場合、前述の第１の受信瞬間及び第２の受信瞬間は、システムフレーム番号、サブフレーム番号、及びサブフレーム内偏差を含む。
【００７６】
前述のプロセスにおいて、第１の基地局と第２の基地局との間での情報交換は、Ｘ２インターフェースに基づくものであり得るか、又はＳ１インターフェースに基づくものであり得、前述の情報を搬送するために既存のインターフェースメッセージが拡張可能であるか、又は前述の情報を搬送するために新しいインターフェースメッセージが構築可能である。
【００７７】
Ｓ６１１：第１の基地局は第１の時間差を中央コントローラに送信する。具体的に言えば、第１の基地局は時間差報告を中央コントローラに送信し、ここで時間差報告は、第１の基地局の識別子、第２の基地局の識別子、及び第１の時間差を含み、識別子は基地局を識別するために使用される。任意選択で、時間差報告内の２つの識別子のシーケンスに従い、識別子のシーケンスを使用して、時間差報告内の第１の時間差が、第２の基地局に対する第１の基地局の時間差であるか、又は第１の基地局に対する第２の基地局の時間差であるかが示される。
【００７８】
任意選択で、第１の基地局は、複数のＵＥを選択することが可能であり、前述の方法に従って、複数の時間差を獲得し、それらを中央コントローラに送信することが可能である。
【００７９】
任意選択で、第１の基地局は第１の受信瞬間を第２の基地局に送信することが可能であり、第２の基地局が第１の基地局と第２の基地局との間の第１の時間差を計算して、第２の基地局が第１の時間差を中央コントローラに報告するか、又は、第２の基地局が計算を介して取得した第１の時間差を第１の基地局に送信して、第１の基地局が第１の時間差を中央コントローラに報告する。
【００８０】
任意選択で、複数の時間差を収集した後、第１の基地局は、時間差報告を使用することによって、複数の時間差のすべてを中央コントローラに報告する。この場合、時間差報告は、第１の基地局の識別子、第２の基地局の識別子、及び複数の時間差を含む。
【００８１】
中央コントローラは代替として、時間差要求メッセージを第２の基地局に送信し、第２の基地局を使用して、ＵＥのアクティブランダムアクセスを使用することによって、第１の基地局と第２の基地局との間の時間差を獲得することが可能であることが理解できよう。
【００８２】
中央コントローラは、第１の基地局と第２の基地局との間の少なくとも１つの時間差を獲得する。少なくとも１つの時間差は、第１の時間差を含む。
【００８３】
Ｓ６１２：基準基地局が第１の基地局である場合、第２の基地局は非基準基地局である。中央コントローラは、第１の基地局と第２の基地局との間の少なくとも１つの時間差、及び第１の基地局の基準時間に従って、第１の基地局に対する第２の基地局の時間調整値を獲得し、すなわち、基準基地局に対する非基準基地局の時間調整値を獲得する。
【００８４】
具体的に言えば、中央コントローラは、獲得された第１の基地局と第２の基地局との間の少なくとも１つの時間差を処理して、第１の基地局に対する第２の基地局の少なくとも１つの時間差を獲得する。時間差が１つしか存在しない場合、第１の基地局が基準基地局であるため、中央コントローラは、第１の基地局に対する第２の基地局の時間差に従い、基準基地局に対する第２の基地局の時間調整値、すなわち基準基地局に対する非基準基地局の時間調整値を取得することができる。少なくとも２つの時間差が存在する場合、中央コントローラは、第１の基地局に対する第２の基地局の平均時間差を取得するために、第１の基地局に対する第２の基地局の時間差を処理するが、これは具体的に言えば、前述の時間差を平均化すること、又は、最小差の２つの時間差を平均化すること、又は、少なくとも１つの時間差の最大値及び最小値を除去して、残りの時間差を平均化することであり得、中央コントローラは、平均時間差及び基準基地局の基準時間に従って、基準基地局に対する第２の基地局の時間調整値、すなわち基準基地局に対する非基準基地局の時間調整値を獲得する。
【００８５】
Ｓ６１３：中央コントローラは、時間調整値を第２の基地局に送信し、すなわち、時間調整値を非基準基地局に送信する。具体的に言えば、中央コントローラは、時間調整コマンドメッセージを第２の基地局に送信し、ここで時間調整コマンドメッセージは、時間調整値及び第２の基地局の識別子を搬送する。
【００８６】
任意選択で、中央コントローラは、時間調整値を非基準基地局に送信する前に判定を実行し、非基準基地局が時間調整の実行を必要とする場合、すなわち第２の基地局が時間調整の実行を必要とする場合、中央コントローラは時間調整値を第２の基地局に送信する。
【００８７】
Ｓ６１４：第２の基地局は、中央コントローラによって送信された時間調整値を獲得し、時間調整値に従って時間調整を実行して、時刻同期を完了する。具体的に言えば、第２の基地局は、中央コントローラによって送信された時間調整コマンドメッセージを受信し、時間調整値を獲得し、時間調整値に従って時間調整を実行して、時刻同期を完了する。
【００８８】
同様に、基準基地局が第２の基地局である場合、第１の基地局は非基準基地局である。中央コントローラは、第１の基地局と第２の基地局との間の少なくとも１つの時間差及び基準基地局の基準時間に従って、第２の基地局に対する第１の基地局の時間調整値を獲得し、すなわち、基準基地局に対する非基準基地局の時間調整値を獲得する。
【００８９】
中央コントローラは、時間調整値を第１の基地局に送信し、すなわち、時間調整値を非基準基地局に送信する。具体的に言えば、中央コントローラは、時間調整コマンドメッセージを第１の基地局に送信し、ここで時間調整コマンドメッセージは、時間調整値及び第１の基地局の識別子を搬送する。
【００９０】
第１の基地局は、中央コントローラによって送信された時間調整値を獲得し、時間調整値に従って時間調整を実行して、時刻同期を完了する。
【００９１】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【００９２】
実施形態３
図１を参照すると、中央コントローラ１０１は基地局から独立しており、第１のＵＥ  １０３ａのサービング基地局は基地局１０２ａであり、第２のＵＥ  １０３ｂのサービング基地局は基地局１０２ｂであって、第１のＵＥ  １０３ａ及び第２のＵＥ  １０３ｂは基地局のエッジ上に位置している。基地局１０２ａ及び基地局１０２ｂは互いに隣接する基地局である。エアインターフェースベースの時刻同期のプロセスを、下記で詳細に説明する。
【００９３】
中央コントローラ１０１は、時間差要求メッセージを基地局１０２ａ及び／又は基地局１０２ｂに送信する。
【００９４】
基地局１０２ａが中央コントローラ１０１によって送信された時間差要求メッセージを獲得した後の処理プロセスは、実施形態２の説明と同じである。処理プロセスにおいて、基地局１０２ａは第１の基地局として働き、基地局１０２ｂは第２の基地局として働く。
【００９５】
基地局１０２ｂが中央コントローラ１０１によって送信された時間差要求メッセージを獲得した後の処理プロセスは、実施形態２の説明と同じである。処理プロセスにおいて、基地局１０２ｂは第１の基地局として働き、基地局１０２ａは第２の基地局として働く。
【００９６】
中央コントローラ１０１は、基地局１０２ａと基地局１０２ｂとの間の少なくとも１つの時間差を獲得するために、基地局１０２ａ及び／又は基地局１０２ｂを使用する。獲得された基地局１０２ａと基地局１０２ｂとの間の少なくとも１つの時間差に関する中央コントローラ１０１の処理は、実施形態２で説明した処理と同じである。
【００９７】
基地局１０２ｂが基準基地局である場合、基地局１０２ａは非基準基地局である。中央コントローラ１０１は、基地局１０２ａと基地局１０２ｂとの間の少なくとも１つの時間差、及び基準基地局の基準時間に従って、基地局１０２ｂに対する基地局１０２ａの時間調整値を獲得し、すなわち、基準基地局に対する非基準基地局の時間調整値を獲得する。中央コントローラ１０１は、時間調整値を基地局１０２ａに送信し、すなわち、時間調整値を非基準基地局に送信する。具体的に言えば、中央コントローラ１０１は、時間調整コマンドメッセージを基地局１０２ａに送信し、ここで時間調整コマンドメッセージは、時間調整値及び基地局１０２ａの識別子を搬送する。基地局１０２ａは、中央コントローラ１０１によって送信された時間調整コマンドメッセージを受信し、時間調整値を獲得し、時間調整値に従って時間調整を実行して、時刻同期を完了する。
【００９８】
基地局１０２ａが基準基地局である場合、基地局１０２ｂは非基準基地局である。中央コントローラ１０１は、基地局１０２ａと基地局１０２ｂとの間の少なくとも１つの時間差、及び基準基地局の基準時間に従って、基地局１０２ａに対する基地局１０２ｂの時間調整値を獲得し、すなわち、基準基地局に対する非基準基地局の時間調整値を獲得する。中央コントローラ１０１は、時間調整値を基地局１０２ｂに送信し、すなわち、時間調整値を非基準基地局に送信する。具体的に言えば、中央コントローラ１０１は、時間調整コマンドメッセージを基地局１０２ｂに送信し、ここで時間調整コマンドメッセージは、時間調整値及び基地局１０２ｂの識別子を搬送する。基地局１０２ｂは、中央コントローラ１０１によって送信された時間調整コマンドメッセージを受信し、時間調整値を獲得し、時間調整値に従って時間調整を実行して、時刻同期を完了する。
【００９９】
任意選択で、中央コントローラ１０１は、時間調整コマンドを非基準基地局に送信する前に判定を実行する。非基準基地局が時間調整の実行を必要とする場合、中央コントローラ１０１は時間調整コマンドを非基準基地局に送信する。非基準基地局が時間調整の実行を必要としない場合、中央コントローラ１０１は一切の処理を実行しない。
【０１００】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０１０１】
実施形態４
基地局が中央コントローラの機能を有する場合のエアインターフェースベースの時刻同期の処理方法を、下記で詳細に説明する。
【０１０２】
図７は、本発明の実施形態に従った、エアインターフェースベースの同期における第２の基地局の別の処理方法である。
【０１０３】
Ｓ７０１：第２の基地局は時間差要求メッセージを第１の基地局に送信し、結果として第１の基地局は、第１のＵＥのアクティブランダムアクセスを使用することによって、第１の基地局と第２の基地局との間の第１の時間差を獲得する。
【０１０４】
第２の基地局は、時間差要求メッセージを第１の基地局に定期的に送信することが可能であり、又は、第１の基地局の負荷状況若しくはサービス状況に従って、第１の基地局の負荷が負荷しきい値よりも低い場合に、時間差要求メッセージを第１の基地局に送信することが可能であり、又は、システム要件に従って、時間差要求メッセージを基地局に送信することが可能であり、結果として第１の基地局は、時間差要求メッセージに従い、第１のＵＥのアクティブランダムアクセスを使用することによって、第１の基地局と第２の基地局との間の第１の時間差を獲得する。アクティブランダムアクセスは、非競合ベースのランダムアクセスである、アップリンク再同期とも呼ぶことができる。第２の基地局及び第１の基地局は互いに隣接する基地局である。
【０１０５】
Ｓ７０２：第２の基地局は少なくとも１つの時間差を獲得し、ここで時間差は第１の基地局と第２の基地局との間の時間差である。
【０１０６】
少なくとも１つの時間差は第１の時間差を含み、ここで第１の時間差は、第１のＵＥのアクティブランダムアクセスを使用することによって第１の基地局によって獲得された、第１の基地局と第２の基地局との間の第１の時間差であり、第１の時間差は、第１の受信瞬間及び第２の受信瞬間に従って第１の基地局によって計算された、第１の基地局と第２の基地局との間の時間差であり得る。
【０１０７】
第２の基地局は、時間差要求メッセージを第１の基地局に少なくとも１回送信すること、及び、少なくとも１つの時間差を獲得することが可能である。
【０１０８】
第２の基地局は、時間差要求メッセージを第２の基地局自体に送信すること、及び、アクティブランダムアクセスを起動するためにＵＥを選択することによって基地局間の時間差を獲得することが可能であることが理解できよう。
【０１０９】
Ｓ７０３：第２の基地局は、少なくとも１つの時間差及び基準基地局の基準時間に従って、非基準基地局の時間調整値を獲得する。
【０１１０】
第２の基地局は、前述の少なくとも１つの時間差を処理し、第２の基地局に対する第１の基地局の平均時間差、又は、第１の基地局に対する第２の基地局の平均時間差を取得する。少なくとも２つの時間差が存在するケースでは、処理は、平均化を実行すること、又は、最小差の２つの時間差を平均化すること、又は、複数の時間差の最大値及び最小値を除去して残りの時間差を平均化することを含む。非基準基地局の時間調整値は、平均化を介して取得された時間差及び基準基地局の基準時間に従って決定される。
【０１１１】
時間差が１つしか存在しない場合、第２の基地局は、この時間差及び基準基地局の基準時間に従って、非基準基地局の時間調整値を直接決定する。
【０１１２】
基準基地局が第２の基地局である場合、非基準基地局は第１の基地局であるか、又は基準基地局が第１の基地局である場合、非基準基地局は第２の基地局である。
【０１１３】
Ｓ７０４：第２の基地局は時間調整値を非基準基地局に送信する。
【０１１４】
したがって、非基準基地局は獲得された時間調整値に従って時間調整を実行し、時刻同期を完了する。
【０１１５】
図８は、本発明の実施形態に従った、エアインターフェースベースの同期における第１の基地局の別の処理方法である。
【０１１６】
Ｓ８０１：第２の基地局によって送信された時間差要求メッセージを受信した後、第１の基地局は、第１のＵＥのアクティブランダムアクセスを使用することによって、第１の基地局と第２の基地局との間の第１の時間差を獲得する。
【０１１７】
時間差要求メッセージを受信した後、第１の基地局は第１のＵＥを選択し、ここで第１のＵＥのサービング基地局は第１の基地局であり、第１のランダムアクセスプリアンブルを第１のＵＥに割り振り、ここで第１のランダムアクセスプリアンブルは非競合ベースのランダムアクセスプリアンブルであり、結果として第１のＵＥは、第１のランダムアクセスプリアンブルを使用することによって、第１の基地局へのアクティブランダムアクセスを起動する。
【０１１８】
第１の基地局は、第１のランダムアクセスプリアンブルを検出し、第１の受信瞬間を獲得して、第１の受信瞬間及び第２の受信瞬間を使用することによって第１の時間差を計算し、ここで第２の受信瞬間は、第１のランダムアクセスプリアンブルを検出することによって第２の基地局によって獲得された受信瞬間である。
【０１１９】
Ｓ８０２：第１の基地局は第１の時間差を第２の基地局に送信し、結果として第２の基地局は、獲得された第１の基地局と第２の基地局との間の少なくとも１つの時間差、及び基準基地局の基準時間に従って、非基準基地局の時間調整値を獲得する。
【０１２０】
第１の基地局は、第１の時間差を第２の基地局に送信する。
【０１２１】
少なくとも１つの時間差は第１の時間差を含む。基準基地局が第２の基地局である場合、非基準基地局は第１の基地局であるか、又は、基準基地局が第１の基地局である場合、非基準基地局は第２の基地局である。第２の基地局は非基準基地局の時間調整値を獲得し、非基準基地局は、時間調整値に従って時間調整を実行する。
【０１２２】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０１２３】
実施形態５
本実施形態において、第２の基地局は、実施形態２における中央コントローラの機能を有する。図９は、本発明の実施形態に従った、基地局間の時間差を獲得する別の方法であり、詳細は下記の通りである。
【０１２４】
Ｓ９０１：第２の基地局は、時間差要求メッセージを第１の基地局に送信する。第２の基地局は、時間差要求メッセージを第１の基地局に定期的に送信することが可能であり、又は、第１の基地局の負荷状況若しくはサービス状況に従って、第１の基地局の負荷が負荷しきい値よりも低い場合に、時間差要求メッセージを第１の基地局に送信することが可能であり、又は、システムの要件に従って、時間差要求メッセージを第１の基地局に送信することが可能である。
【０１２５】
第１の基地局は、第２の基地局によって送信された時間差要求メッセージを受信する。第２の基地局によって送信された時間差要求メッセージを受信した後、第１の基地局は第１のＵＥを選択し、ここで第１のＵＥのサービング基地局は第１の基地局である。第１のＵＥのアクティブランダムアクセスを使用することによって、第１の基地局と第２の基地局との間の第１の時間差を獲得する処理方法は、実施形態２で説明した方法と同じであり、すなわち、図９のステップＳ９０２（ａ）からステップＳ９１０は図６のステップＳ６０２（ａ）からステップＳ６１０と同じであり、本明細書では詳細を繰り返し説明しない。
【０１２６】
実施形態２とは異なり、第１の基地局によってステップＳ９１１が実行された場合、第１の基地局は第１の時間差を第２の基地局に送信する。第２の基地局は、第１の基地局によって送信された第１の時間差を受信する。
【０１２７】
第２の基地局は、ＵＥのアクティブランダムアクセスを使用することによって、第１の基地局と第２の基地局との間の時間差も獲得できることが理解できよう。
【０１２８】
前述の方法に従い、第２の基地局は、第１の基地局と第２の基地局との間の複数の時間差を獲得することが可能であり、すなわち第２の基地局は、第１の基地局と第２の基地局との間の少なくとも１つの時間差を獲得し、ここで少なくとも１つの時間差は第１の時間差を含む。
【０１２９】
Ｓ９１２：第２の基地局は、第１の基地局と第２の基地局との間の少なくとも１つの時間差、及び基準基地局の基準時間に従って、基準基地局に対する非基準基地局の時間調整値を獲得する。
【０１３０】
Ｓ９１３：第２の基地局は、時間調整値を非基準基地局に送信する。
【０１３１】
Ｓ９１４：非基準基地局は、時間調整値を獲得した後、時間調整を実行する。
【０１３２】
第２の基地局によって時間差及び時間調整値を処理するための方法は、実施形態２における中央コントローラの処理方法と同じであり、繰り返し説明しない。基準基地局が第２の基地局である場合、第２の基地局は時間調整値を第１の基地局に送信し、結果として第１の基地局が時間調整値に従って時間調整を実行するか、又は、基準基地局が第１の基地局である場合、第２の基地局は時間調整値に従って時間調整を実行する。
【０１３３】
基準基地局が第２の基地局である場合、第１の基地局は非基準基地局であり、第２の基地局は、第１の基地局と第２の基地局との間の少なくとも１つの時間差、及び基準基地局の基準時間に従って、第２の基地局に対する第１の基地局の時間調整値を獲得する。
【０１３４】
第２の基地局は、獲得された第１の基地局と第２の基地局との間の少なくとも１つの時間差を処理する。
【０１３５】
第２の基地局は、時間調整値を第１の基地局に送信する。
【０１３６】
任意選択で、第２の基地局は、時間調整値を送信する前に判定を実行する。第１の基地局、すなわち非基準基地局が、時間調整を実行する必要がある場合、中央コントローラは時間調整値を第１の基地局に送信する。
【０１３７】
第１の基地局は、第２の基地局によって送信された時間調整値を受信し、時間調整値に従って時間調整を実行して、時刻同期を完了する。
【０１３８】
基準基地局が第１の基地局である場合、第２の基地局は非基準基地局であり、第２の基地局は、第１の基地局と第２の基地局との間の少なくとも１つの時間差、及び基準基地局の基準時間に従って、第１の基地局に対する第２の基地局の時間調整値を獲得し、すなわち、基準基地局に対する非基準基地局の時間調整値を獲得する。第２の基地局は、時間調整値を非基準基地局に送信する。非基準基地局が第２の基地局であるため、第２の基地局は、獲得された時間調整値に従って時間調整を直接実行することが可能であり、時刻同期を完了する。
【０１３９】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０１４０】
実施形態６
本実施形態において、基地局１０２ａは実施形態２における中央コントローラの機能を含み、ＵＥ  １０３ａのサービング基地局は基地局１０２ａであり、ＵＥ  １０３ｂのサービング基地局は基地局１０２ｂであり、ＵＥ  １０３ａ及びＵＥ  １０３ｂは基地局のエッジ上に位置している。基地局１０２ａ及び基地局１０２ｂは互いに隣接する基地局である。エアインターフェースベースの時刻同期を、下記で詳細に説明する。
【０１４１】
基地局１０２ａは、時間差要求メッセージを基地局１０２ｂに送信する。
【０１４２】
基地局１０２ｂが基地局１０２ａによって送信された時間差要求メッセージを獲得した後の処理プロセスは、実施形態５で説明したものと同じである。基地局１０２ｂはＵＥ  １０３ｂを選択し、ランダムアクセスプリアンブルを割り振り、時間差を計算して、時間差を基地局１０２ａに送信する。
【０１４３】
基地局１０２ａは中央コントローラの機能を含むため、実際の適用例において、基地局１０２ａは時間差要求メッセージを基地局１０２ａ自体にも送達可能である。基地局１０２ａが、基地局間の時間差の収集を実行する必要がある（時間差要求メッセージが受信されることと同様に）ことを知った後の処理プロセスは、実施形態５で説明したものと同じである。基地局１０２ａはＵＥ  １０３ａを選択し、ランダムアクセスプリアンブルを割り振り、時間差を計算する。相違点は、基地局１０２ａが中央コントローラの機能を含むため、基地局１０２ａは時間差を中央コントローラに送信する必要がないことである。
【０１４４】
基地局１０２ａは、基地局１０２ａと基地局１０２ｂとの間の少なくとも１つの時間差を獲得する。
【０１４５】
獲得された基地局１０２ａと基地局１０２ｂとの間の少なくとも１つの時間差に関する基地局１０２ａによる処理は、実施形態５で説明したものと同じである。
【０１４６】
基地局１０２ａが基準基地局である場合、基地局１０２ｂは非基準基地局である。基地局１０２ａは、基地局１０２ａと基地局１０２ｂとの間の少なくとも１つの時間差、及び基準基地局の基準時間に従って、基地局１０２ａに対する基地局１０２ｂの時間調整値を獲得し、すなわち、基準基地局に対する非基準基地局の時間調整値を獲得する。基地局１０２ａは、時間調整値を基地局１０２ｂに送信し、すなわち時間調整値を非基準基地局に送信する。具体的に言えば、基地局１０２ａは、時間調整コマンドメッセージを基地局１０２ｂに送信し、ここで時間調整コマンドメッセージは、時間調整値及び基地局１０２ｂの識別子を搬送する。基地局１０２ｂは、基地局１０２ａによって送信された時間調整コマンドメッセージを受信し、時間調整値を獲得し、時間調整値に従って時間調整を実行して、時刻同期を完了する。
【０１４７】
任意選択で、基地局１０２ａは、時間調整コマンドを非基準基地局に送信する前に判定を実行する。非基準基地局が時間調整を実行する必要がある場合、基地局１０２ａは時間調整コマンドを非基準基地局に送信する。非基準基地局が時間調整を実行する必要がない場合、基地局１０２ａは一切の処理を実行しない。
【０１４８】
基地局１０２ｂが基準基地局である場合、基地局１０２ａは非基準基地局である。基地局１０２ａは、基地局１０２ａと基地局１０２ｂとの間の少なくとも１つの時間差、及び基準基地局の基準時間に従って、基地局１０２ｂに対する基地局１０２ａの時間調整値を獲得し、すなわち、基準基地局に対する非基準基地局の時間調整値を獲得する。この場合、基地局１０２ａは、獲得された時間調整値に従って時間調整を直接実行し、時刻同期を完了する。
【０１４９】
実施形態７
本実施形態において、基地局１０２ａは実施形態２における中央コントローラの機能を含み、基地局１０２ａは基準基地局であり、基地局１０２ａ及び基地局１０２ｂは互いに隣接する基地局であり、基地局１０２ｂ及び基地局１０２ｃは互いに隣接する基地局である。基地局１０２ｃが、エアインターフェースを使用することによって、基準基地局との時刻同期を実行することを、下記で詳細に説明する。
【０１５０】
基地局１０２ａの時間差要求メッセージを受信した後、基地局１０２ｃは基地局１０２ｃと基地局１０２ｂとの間の時間差を獲得し、時間差を基地局１０２ａに報告する。基地局１０２ｂは、基地局１０２ａの時間差要求メッセージを受信すること、基地局１０２ｃと基地局１０２ｂとの間の時間差を獲得すること、及び、時間差を基地局１０２ａに報告することも可能である。基地局１０２ｃ又は基地局１０２ｂについて、基地局１０２ｃと基地局１０２ｂとの間の時間差を獲得するプロセスは、基地局１０２ｃ又は基地局１０２ｂが時間差を基地局１０２ａに報告することを除き、実施形態２で説明したものと同じである。
【０１５１】
基地局１０２ａは、基地局１０２ｃ及び／又は基地局１０２ｂを使用して、基地局１０２ｃと基地局１０２ｂとの間の少なくとも１つの時間差を獲得する。
【０１５２】
基地局１０２ａは、基地局１０２ｃと基地局１０２ｂとの間の少なくとも１つの時間差に従い、基地局１０２ｂに対する基地局１０２ｃの時間調整値を獲得することができる。時間差に対する処理は、実施形態５で説明したものと同じである。
【０１５３】
基準基地局、すなわち基地局１０２ａに対する基地局１０２ｃの時間差を獲得するために、基地局１０２ａに対する基地局１０２ｂの時間差を獲得することが更に必要である。基地局１０２ａに対する基地局１０２ｂの時間差は、実施形態８で説明する。
【０１５４】
基地局１０２ａが基準基地局であるため、基地局１０２ａは、基地局１０２ｂに対する基地局１０２ｃの時間差、及び基地局１０２ａに対する基地局１０２ｂの時間差に従い、基地局１０２ａに対する基地局１０２ｃの時間差を獲得することが可能であり、すなわち、基準基地局に対する基地局１０２ｃの時間調整値を獲得する。本明細書に記載される時間差は、平均時間差とすることができる。時間差に対する処理は、実施形態５で説明したものと同じである。
【０１５５】
基地局１０２ａは、時間調整値を基地局１０２ｃに送信する。具体的に言えば、基地局１０２ａは時間調整コマンドメッセージを基地局１０２ｃに送信し、ここで時間調整コマンドメッセージは、時間調整値及び基地局１０２ｃの識別子を搬送する。
【０１５６】
基地局１０２ｃは、基地局１０２ａによって送信された時間調整コマンドメッセージを受信し、時間調整値を獲得し、時間調整を実行して、時刻同期を完了する。
【０１５７】
任意選択で、基地局１０２ａは時間調整コマンドを送信する前に判定を実行する。基地局１０２ｃが時間調整を実行する必要がある場合、基地局１０２ａは時間調整コマンドを基地局１０２ｃに送信する。
【０１５８】
本実施形態において、基地局１０２ａは、時間調整値を基地局１０２ｂに送信することができる。基地局１０２ｂは、基地局１０２ａによって送信された時間調整コマンドメッセージを受信し、時間調整値を獲得し、時間調整を実行して、時刻同期を完了する。
【０１５９】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０１６０】
実施形態８
図２は、第１の基地局、第２の基地局、及び中央コントローラの概略構造図を含む、本発明の実施形態に従ったエアインターフェースベースの同期装置の概略構造図である。第１の基地局が基準基地局であり、第２の基地局が非基準基地局である例が、説明のために使用される。
【０１６１】
第１の基地局はユーザ選択ユニット１０３７、時間差計算ユニット１０３１、及び時間差送信ユニット１０３６を含む。
【０１６２】
ユーザ選択ユニット１０３７は、中央コントローラによって送信された時間差要求メッセージを受信した後、第１のＵＥを選択するように構成される。任意選択で、第１のＵＥによって測定された第１の基地局のダウンリンク信号強度と、第１のＵＥによって測定された第２の基地局のダウンリンク信号強度との差異が、第１のしきい値よりも小さい場合、第１のＵＥが選択される。
【０１６３】
時間差計算ユニット１０３１は、ユーザ選択ユニット１０３７によって選択された第１のＵＥに従って、第１のＵＥのアクティブランダムアクセスを使用することによって、第１の基地局と第２の基地局との間の第１の時間差を獲得するように構成される。
【０１６４】
時間差送信ユニット１０３６は、時間差計算ユニット１０３１によって獲得された第１の時間差を中央コントローラに送信するように構成され、結果として中央コントローラは、獲得された少なくとも１つの時間差及び第１の基地局の基準時間に従って、第２の基地局の時間調整値を獲得し、ここで少なくとも１つの時間差は第１の時間差を含み、第１の基地局は基準基地局であり、第２の基地局は非基準基地局である。
【０１６５】
任意選択で、第１の基地局と第２の基地局との間の第１の時間差を計算するように、第１のＵＥのアクティブランダムアクセスを用いることで獲得された第１の受信瞬間及び第２の受信瞬間を使用するために、第１の基地局は、ランダムアクセスプリアンブル管理ユニット１０２９、ランダムアクセスプリアンブル検出ユニット１０２８、時間情報獲得ユニット１０３０、及び時間差計算ユニット１０３１を、更に含む。
【０１６６】
ランダムアクセスプリアンブル管理ユニット１０２９は、ユーザ選択ユニット１０３７によって選択された第１のＵＥに第１のランダムアクセスプリアンブルを割り振り、第１のランダムアクセスプリアンブルに関する情報を第２の基地局に送信するように構成され、結果として第２の基地局は、第１のランダムアクセスプリアンブルに関する情報を受信した後、ランダムアクセスプリアンブル検出を開始する。ランダムアクセスプリアンブル管理ユニット１０２９は、第２の基地局によって送信されたランダムアクセスプリアンブル検出の正常な開始の確認応答メッセージを受信するように、更に構成される。
【０１６７】
ランダムアクセスプリアンブル検出ユニット１０２８は、アクティブランダムアクセスを起動するために、第１のＵＥによって使用される第１のランダムアクセスプリアンブルを検出するように構成される。
【０１６８】
時間情報獲得ユニット１０３０は、第１の受信瞬間及び第２の受信瞬間を獲得するように構成され、ここで第１の受信瞬間は、ランダムアクセスプリアンブル検出ユニット１０２８が第１のランダムアクセスプリアンブルを検出した瞬間であり、第２の受信瞬間は、第２の基地局が第１のランダムアクセスプリアンブルを検出した瞬間である。
【０１６９】
任意選択で、第１の基地局は、ランダムアクセスプリアンブル管理ユニットが、第２の基地局によって送信されたランダムアクセスプリアンブル検出の正常な開始の確認応答メッセージを受信した後、第１のランダムアクセスプリアンブルを使用することによって、第１の基地局へのアクティブランダムアクセスを起動するために、第１のＵＥをトリガするように構成された、リソースマッピングユニット１０２１を更に含む。ＰＤＣＣＨ  Ｏｒｄｅｒが、リソースマッピングユニット１０２１を使用することによって、第１のＵＥに送信され、ここでＰＤＣＣＨ  Ｏｒｄｅｒは、第１のランダムアクセスプリアンブルのインデックスを搬送する。第１のＵＥは、第１のランダムアクセスプリアンブルに従って、第１の基地局へのアクティブランダムアクセスを起動する。
【０１７０】
第２の基地局は、調整値獲得ユニット１０３４及び時間調整ユニット１０３５を含む。
【０１７１】
調整値獲得ユニット１０３４は、中央コントローラによって送信された時間調整値を受信するように構成される。時間調整ユニット１０３５は、調整値獲得ユニット１０３４によって獲得された時間調整値に従って時間調整を実行し、時刻同期を完了するように構成される。
【０１７２】
第１の基地局は、第１のＵＥのアクティブランダムアクセスを使用することによって、第１の基地局と第２の基地局との間の第１の時間差を獲得するため、第２の基地局は、ランダムアクセスプリアンブル管理ユニット１０２９、ランダムアクセスプリアンブル検出ユニット１０２８、及び時間情報獲得ユニット１０３０を更に含む。
【０１７３】
ランダムアクセスプリアンブル管理ユニット１０２９は、第１の基地局によって送信された第１のランダムアクセスプリアンブルを受信するように構成される。
【０１７４】
ランダムアクセスプリアンブル検出ユニット１０２８は、ランダムアクセスプリアンブル管理ユニット１０２９が、第１の基地局によって送信された第１のランダムアクセスプリアンブルを受信した後、ランダムアクセスプリアンブルの検出を開始するように構成される。
【０１７５】
ランダムアクセスプリアンブル管理ユニット１０２９は、ランダムアクセスプリアンブル検出ユニット１０２８がランダムアクセスプリアンブル検出を開始した後、ランダムアクセスプリアンブル検出の正常な開始の確認応答メッセージを、第１の基地局に送信するように、更に構成され、結果として第１の基地局は、第１のランダムアクセスプリアンブルを使用することによって、アクティブランダムアクセスを起動するために、第１のＵＥをトリガする。
【０１７６】
ランダムアクセスプリアンブル検出ユニット１０２８は、アクティブランダムアクセスを起動するために、第１のＵＥによって使用される第１のランダムアクセスプリアンブルを検出するように更に構成される。
【０１７７】
時間情報獲得ユニット１０３０は、ランダムアクセスプリアンブル検出ユニット１０２８が第１のランダムアクセスプリアンブルを検出した時に、第２の受信瞬間を獲得し、第２の受信瞬間を第１の基地局に送信するように構成される。
【０１７８】
任意選択で、第１の基地局及び第２の基地局は各々、チャネル変調ユニット１０２２、スケジューリングユニット１０２３、中間周波数ユニット１０２４、チャネル推定ユニット１０２５、チャネル復調ユニット１０２６、チャネル分離ユニット１０２７、及びインターフェースユニット１０３３を、更に含む。スケジューリングユニット１０２３は、ダウンリンクスケジューリングユニット１０２３１及びアップリンクスケジューリングユニット１０２３２を含む。ダウンリンクスケジューリングユニット１０２３１は、ＵＥによってフィードバックされたチャネル情報及び高位レイヤからのユーザ関連情報に従って、ダウンリンクリソーススケジューリングを実行するように構成される。アップリンクスケジューリングユニット１０２３２は、チャネル推定ユニット１０２５からのアップリンクのチャネル推定結果及びＵＥからのリソース要求に従って、アップリンクリソーススケジューリングを実行するように構成される。
【０１７９】
中間周波数ユニット１０２４は、チャネル変調が実行されたＯＦＤＭ信号上でアップ変換を実行し、アンテナを使用することによって無線チャネルを介してＯＦＤＭ信号をＵＥに送信するように、構成される。中間周波数ユニット１０２４は、アンテナを使用することによって、ＵＥのアップリンク信号を受信し、ベースバンド信号を取得するためにアップリンク信号をダウン変換し、ベースバンド信号を、チャネル推定ユニット１０２５、チャネル復調ユニット１０２６、及びランダムアクセスプリアンブル検出ユニット１０２８に伝送する。
【０１８０】
チャネル推定ユニット１０２５は、アップリンクのパイロットチャネルから無線伝送経路の特性を推定し、チャネル推定結果をチャネル復調ユニット１０２６に送信するように構成される。アップリンク及びダウンリンクのリソーススケジューリングを正確に実行するために、チャネル推定結果はスケジューリングユニット１０２３に更に送信される。
【０１８１】
チャネル復調ユニット１０２６は、チャネル推定ユニット１０２５のチャネル推定結果に従って、中間周波数ユニット１０２４によって送信された受信信号を復調するように構成される。チャネル分離ユニット１０２７は、チャネル復調ユニット１０２６によって処理された信号を、ユーザデータ及び制御データに分離する。分離物がスケジューリングユニット１０２３に伝送された後に取得された制御データ内のダウンリンクに関するＣＱＩ情報、並びに他の制御データ及びユーザデータは、高位レイヤに伝送される。
【０１８２】
インターフェースユニット１０３３は、基地局間での情報交換用に構成された基地局間のＸ２インターフェース、及び、基地局とコアネットワークとの間での情報交換用に構成された、基地局とコアネットワークとの間のＳ１インターフェースを含み、中央コントローラが基地局の外部に配置された場合、基地局と中央コントローラとの間での情報交換用に構成された、基地局と中央コントローラとの間のインターフェースを更に含む。
【０１８３】
リソースマッピングユニット１０２１は、高位レイヤから入力された制御データ及びユーザデータを、スケジューリングユニット１０２３のスケジューリング指示に従って、ダウンリンク制御チャネル、ダウンリンク同期チャネル、及びダウンリンクデータ共有チャネルにマッピングするように構成される。チャネル変調ユニット１０２２は、データ変調、シリアル／パラレル変換、ＩＦＦＴ変換、及びＣＰ挿入などの処理を実行し、ＯＦＤＭ信号を生成する。
【０１８４】
中央コントローラ装置は、獲得された第１の基地局と第２の基地局との間の少なくとも１つの時間差、及び第１の基地局の基準時間に従って、第２の基地局の時間調整値を獲得し、結果として第２の基地局は時間調整を実行して、時刻同期を完了する。中央コントローラは、時間調整値処理ユニット１０１１及び調整値送信ユニット１０１２を含む。
【０１８５】
時間調整値処理ユニット１０１１は、獲得された少なくとも１つの時間差及び第１の基地局の基準時間に従って、第２の基地局の時間調整値を獲得するように構成され、ここで少なくとも１つの時間差は第１の時間差を含み、第１の時間差は、第１のユーザ機器ＵＥのアクティブランダムアクセスを使用することによって獲得される第１の基地局と第２の基地局との間の時間差である。少なくとも２つの時間差が獲得される場合、獲得された少なくとも２つの時間差が平均化されるか、又は、最小差の２つの時間差が平均化されるか、又は、複数の時間差の最大値及び最小値が除去され、残りの時間差が平均化される。第２の基地局の時間調整値は、平均化を介して取得された時間差及び第１の基地局の基準時間を使用することによって獲得される。
【０１８６】
調整値送信ユニット１０１２は、時間調整値処理ユニット１０１１によって獲得された時間調整値を第２の基地局に送信するように構成され、結果として第２の基地局は、時間調整値に従って時間調整を実行する。任意選択で、時間調整値が第２の基地局に送信される前に、第２の基地局が時間調整を実行する必要があるかどうかを判定するために、判定が実行される。第２の基地局が時間調整を実行する必要がある場合、時間調整値が第２の基地局に送信される。
【０１８７】
任意選択で、中央コントローラは、時間差要求メッセージを第１の基地局に送信するように構成された、時間差要求ユニット１０１３を更に含み、結果として第１の基地局は、第１のユーザ機器ＵＥのアクティブランダムアクセスを使用することによって、第１の基地局と第２の基地局との間の第１の時間差を獲得する。時間差要求メッセージは、第１の基地局に定期的に送信することができる。時間差要求メッセージは、第１の基地局の負荷状況に従って、第１の基地局の負荷が負荷しきい値よりも低い場合に、第１の基地局に送信することも可能である。
【０１８８】
任意選択で、中央コントローラは、中央コントローラと基地局との間の情報交換を完了するように構成された、インターフェースモジュール１０１２を更に含むことができる。
【０１８９】
図１１は、本発明の実施形態に従った、プロセッサ１００１、メモリ１００２、及びインターフェース１００３を含む、エアインターフェースベースの同期における中央コントローラの概略装置図であり、ここでプロセッサ１００１、メモリ１００２、及びインターフェース１００３はバスを使用して接続される。
【０１９０】
インターフェース１００３は、基地局１０２と情報を交換するように構成される。
【０１９１】
メモリ１００２は、プログラムコードを記憶するように構成される。プロセッサ１００１は、実施形態２における中央コントローラの処理方法を実行するために、メモリ内に記憶されたプログラムコードを呼び出す。
【０１９２】
図１２は、本発明の実施形態に従った、プロセッサ１１０１、メモリ１１０２、トランシーバ１１０３、及びインターフェース１１０４を含む、エアインターフェースベースの同期における第１の基地局の概略装置図であり、ここでプロセッサ１１０１、メモリ１１０２、トランシーバ１１０３、及びインターフェース１１０４はバスを使用して接続される。
【０１９３】
インターフェース１１０４は、基地局間での情報交換、若しくは基地局とコアネットワークとの間での情報交換用に構成されるか、又は、中央コントローラ１０１との情報交換用に構成される。
【０１９４】
トランシーバ１１０３は、ユーザ機器と情報を交換するように構成される。
【０１９５】
メモリ１１０２は、プログラムコードを記憶するように構成される。プロセッサ１１０１は、実施形態２における第１の基地局の処理方法を実行するために、メモリ１１０２内に記憶されたプログラムコードを呼び出す。
【０１９６】
図１３は、本発明の実施形態に従った、プロセッサ１２０１、メモリ１２０２、トランシーバ１２０３、及びインターフェース１２０４を含む、エアインターフェースベースの同期における第２の基地局の概略装置図であり、ここでプロセッサ１２０１、メモリ１２０２、トランシーバ１２０３、及びインターフェース１２０４はバスを使用して接続される。
【０１９７】
インターフェース１２０４は、基地局間での情報交換、若しくは基地局とコアネットワークとの間での情報交換用に構成されるか、又は、中央コントローラ１０１との情報交換用に構成される。
【０１９８】
トランシーバ１２０３は、ユーザ機器と情報を交換するように構成される。
【０１９９】
メモリ１２０２は、プログラムコードを記憶するように構成される。プロセッサ１２０１は、実施形態２における第２の基地局の処理方法を実行するために、メモリ１２０２内に記憶されたプログラムコードを呼び出す。
【０２００】
ＵＥのアクティブランダムアクセスに従い、中央コントローラは、第１の基地局を使用して、第１の基地局と第２の基地局との間の時間差を獲得することが可能であるか、又は、第２の基地局を使用して、第１の基地局と第２の基地局との間の時間差を獲得することが可能であり、すなわち、第１の基地局と第２の基地局は等価であり得ることが理解できよう。
【０２０１】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０２０２】
実施形態９
図１０は、本発明の実施形態に従った、第１の基地局及び第２の基地局を含む、エアインターフェースベースの同期を実装する基地局の別の概略構造図である。第２の基地局は実施形態２における中央コントローラの機能を含む。基準基地局が第２の基地局である場合、非基準基地局は第１の基地局であり、又は基準基地局が第１の基地局である場合、非基準基地局は第２の基地局である。
【０２０３】
第１の基地局は基本的に実施形態８におけるものと同じである。相違点は、この実施形態では、ユーザ選択ユニット１０３７が時間差要求メッセージを第２の基地局から受信すること、及び、時間差送信ユニット１０３６が、時間差計算ユニット１０３１から獲得した第１の時間差を第２の基地局に送信するように構成されることであって、結果として第２の基地局は、獲得された少なくとも１つの時間差及び基準基地局の基準時間に従って、非基準基地局の時間調整値を獲得する。
【０２０４】
第１の基地局は、調整値獲得ユニット１０３４及び時間調整ユニット１０３５を更に含む。
【０２０５】
調整値獲得ユニット１０３４は、基準基地局が第２の基地局である場合、第２の基地局によって送信された時間調整値を獲得するように構成される。
【０２０６】
時間調整ユニット１０３５は、調整値獲得ユニット１０３４によって獲得された時間調整値に従って時間調整を実行し、時刻同期を完了するように構成される。
【０２０７】
第２の基地局は、実施形態８における中央コントローラを含む。したがって、第２の基地局は、時間差要求ユニット１０１３、時間調整値処理ユニット１０１１、及び調整値送信ユニット１０１２を含む。
【０２０８】
時間差要求ユニット１０１３は、時間差要求メッセージを第１の基地局に送信するように構成され、結果として第１の基地局は、第１のＵＥのアクティブランダムアクセスを使用することによって、第１の基地局と第２の基地局との間の第１の時間差を獲得する。時間差要求メッセージは、第１の基地局に定期的に送信することができる。時間差要求メッセージは、第１の基地局の負荷状況に従って、第１の基地局の負荷が負荷しきい値よりも低い場合に、第１の基地局に送信することもできる。
【０２０９】
時間調整値処理ユニット１０１１は、獲得された少なくとも１つの時間差及び基準基地局の基準時間に従って、非基準基地局の時間調整値を獲得するように構成され、ここで少なくとも１つの時間差は第１の時間差を含み、第１の時間差は、第１のＵＥのアクティブランダムアクセスを使用することによって獲得される第１の基地局と第２の基地局との間の時間差である。
【０２１０】
調整値送信ユニット１０１２は、時間調整値処理ユニット１０１１によって獲得された時間調整値を、非基準基地局に送信するように構成される。
【０２１１】
任意選択で、第２の基地局は、ランダムアクセスプリアンブル管理ユニット１０２９、ランダムアクセスプリアンブル検出ユニット１０２８、及び時間情報獲得ユニット１０３０を更に含み、これらは実施形態８における第２の基地局の対応するユニットと同じである。
【０２１２】
任意選択で、第２の基地局は、調整値獲得ユニット１０３４及び時間調整ユニット１０３５を更に含む。
【０２１３】
調整値獲得ユニット１０３４は、第１の基地局が基準基地局である場合、調整値送信ユニット１０１２によって送信された時間調整値を獲得するように構成される。時間調整ユニット１０３５は、調整値獲得ユニット１０３４によって獲得された時間調整値に従って時間調整を実行し、時刻同期を完了するように構成される。
【０２１４】
本実施形態において、第２の基地局は、時間差要求メッセージに従ってＵＥを選択し、ＵＥのアクティブランダムアクセスを使用することによって、第１の基地局と第２の基地局との間の時間差を獲得することも可能であることが理解できよう。すなわち、前述の第２の基地局の時間差要求ユニット１０１３、時間調整値処理ユニット１０１１、及び調整値送信ユニット１０１２が除外された後、第１の基地局及び第２の基地局は等価であり得る。
【０２１５】
図１４は、本発明の実施形態に従った、プロセッサ１３０１、メモリ１３０２、トランシーバ１３０３、及びインターフェース１３０４を含む、第１の基地局の別の概略装置図であり、ここでプロセッサ１３０１、メモリ１３０２、トランシーバ１３０３、及びインターフェース１３０４はバスを使用して接続される。
【０２１６】
インターフェース１３０４は、基地局間での情報交換、又は基地局とコアネットワークとの間での情報交換用に構成される。
【０２１７】
トランシーバ１３０３は、ユーザ機器と情報を交換するように構成される。
【０２１８】
メモリ１３０２は、プログラムコードを記憶するように構成される。プロセッサ１３０１は、実施形態５における第１の基地局の処理方法を実行するために、メモリ１３０２内に記憶されたプログラムコードを呼び出す。
【０２１９】
図１５は、本発明の実施形態に従った、プロセッサ１４０１、メモリ１４０２、トランシーバ１４０３、及びインターフェース１４０４を含む、第２の基地局の別の概略装置図であり、ここでプロセッサ１４０１、メモリ１４０２、トランシーバ１４０３、及びインターフェース１４０４はバスを使用して接続される。
【０２２０】
インターフェース１４０４は、基地局間での情報交換、又は基地局とコアネットワークとの間での情報交換用に構成される。
【０２２１】
トランシーバ１４０３は、ユーザ機器と情報を交換するように構成される。
【０２２２】
メモリ１４０２は、プログラムコードを記憶するように構成される。プロセッサ１４０１は、実施形態５における第２の基地局の処理方法を実行するために、メモリ１４０２内に記憶されたプログラムコードを呼び出す。
【０２２３】
本実施形態において、基地局間の時間差は、ユーザ機器のアクティブランダムアクセスを使用することによって、シグナリング対話を用いて獲得され、非基準基地局の時間調整値は基準基地局の基準時間に従って獲得され、結果として非基準基地局は、費用のかかる同期デバイスを使用する必要なしに非基準基地局と基準基地局との間の時刻同期を実装するために、時間調整値に従って時間調整を実行し、それによって建設費及び保守費を削減し、経済的且つ便利な方法で技術的効果を達成する。
【０２２４】
当業者であれば、便利且つ簡単な説明のために、前述の機能モジュールの分割が例示のために行われていることを明確に理解されよう。実際の適用例では、前述の機能は異なる機能モジュールに割り振り、要件に従って実装可能であって、すなわち装置の内部構造は、前述の機能のすべて又は一部を実装するために異なる機能モジュールに分割される。前述のシステム、装置、及びユニットの詳細な作業プロセスについては、前述の方法実施形態における対応するプロセスを参照することが可能であり、本明細書では再度詳細に説明していない。
【０２２５】
本出願で提供したいくつかの実施形態において、開示されたシステム、装置、及び方法は、他の様式でも実装可能であることを理解されたい。例えば、説明した装置実施形態は単なる例示である。例えばモジュール又はユニット分割は単なる論理機能分割であり、実際の実装では他の分割が可能である。例えば複数のユニット若しくは構成要素を組み合わせるか又は別のシステムに組み込むことが可能であり、又は、いくつかの特徴を無視するか若しくは実行しないことが可能である。加えて、図示若しくは考察した相互結合又は直接結合又は通信接続は、いくつかのインターフェースを介して実装可能である。装置若しくはユニット間の間接的な結合又は通信接続は、電子、機械、又は他の形式で実装可能である。
【０２２６】
別々の部分として記載されたユニットは、物理的に別々であってもなくても良く、ユニットとして表示された部分は物理ユニットであってもなくとも良く、１か所に配置するか、又は複数のネットワークユニット上に分散させることができる。実施形態のソリューションの目的を達成するための実際のニーズに従って、ユニットのいくつか又はすべてを選択することができる。
【０２２７】
加えて、本出願の実施形態における機能ユニットを１つの処理ユニットに統合するか、又はユニットの各々が物理的に単独で存在するか、又は２つ若しくはそれ以上のユニットを１つのユニットに統合することが可能である。統合されたユニットは、ハードウエアの形で実装するか、又はソフトウェア機能ユニットの形で実装することができる。
【０２２８】
統合されたユニットがソフトウェア機能ユニットの形で実装され、独立製品として販売又は使用される場合、統合されたユニットは、コンピュータ可読記憶媒体内に記憶することができる。こうした理解に基づき、本出願の技術的ソリューションは本質的に、又は従来技術に寄与する部分、又は技術的ソリューションのすべて若しくは一部は、ソフトウェア製品の形で実装可能である。ソフトウェア製品は記憶媒体内に記憶され、コンピュータデバイス（パーソナルコンピュータ、サーバ、若しくはネットワークデバイスであり得る）又はプロセッサ（ｐｒｏｃｅｓｓｏｒ）に、本出願の実施形態で説明した方法のステップのすべて又は一部を実行するように命じるための、いくつかの命令を含む。前述の記憶媒体は、ＵＳＢフラッシュドライブ、取り外し可能ハードディスク、読み取り専用メモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、又は光ディスクなどの、プログラムコードを記憶できる任意の媒体を含む。
【０２２９】
前述の実施形態は、本出願の技術的ソリューションを説明することを単に意図するものであり、本出願を限定するものではない。前述の実施形態を参照しながら本出願を詳細に説明したが、当業者であれば、本出願の実施形態の技術的ソリューションの趣旨及び範囲を逸脱することなく、前述の実施形態で説明した技術的ソリューションが修正可能であること、又はそれらのうちのいくつかの技術的特徴の等価の置換が可能であることを理解されたい。
【図１】
2016523489.tif 000003
【図２】
2016523489.tif 000004
【図３】
2016523489.tif 000005
【図４】
2016523489.tif 000006
【図５】
2016523489.tif 000007
【図６】
2016523489.tif 000008
【図７】
2016523489.tif 000009
【図８】
2016523489.tif 000010
【図９】
2016523489.tif 000011
【図１０】
2016523489.tif 000012
【図１１】
2016523489.tif 000013
【図１２】
2016523489.tif 000014
【図１３】
2016523489.tif 000015
【図１４】
2016523489.tif 000016
【図１５】
2016523489.tif 000017
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
中央コントローラによって、少なくとも１つの時間差を獲得するステップ、及び、前記少なくとも１つの時間差及び第１の基地局の基準時間に基づいて第２の基地局の時間調整値を獲得するステップであって、前記時間差は前記第１の基地局と前記第２の基地局との間の時間差であり、前記少なくとも１つの時間差は第１の時間差を含み、前記第１の時間差は、前記第１の基地局と前記第２の基地局との間の、第１のユーザ機器（ＵＥ）のアクティブランダムアクセスを使用することによって獲得される時間差であり、前記第１の基地局は基準基地局であり、前記第２の基地局は非基準基地局である、獲得するステップ、並びに、
前記中央コントローラによって、前記時間調整値を前記第２の基地局に送信するステップであって、前記時間調整値は時間調整を実行するために前記第２の基地局によって使用される、送信するステップ、
を含む、エアインターフェースベースの同期方法。
【請求項２】
中央コントローラによって、前記少なくとも１つの時間差及び基準基地局の基準時間に基づいて、非基準基地局の時間調整値を獲得する前記ステップが、
前記中央コントローラが少なくとも２つの時間差を獲得する場合、前記中央コントローラによって、前記少なくとも２つの時間差を平均化するステップ、又は、最小差の２つの時間差を平均化するステップ、又は、複数の時間差の最大値及び最小値を除去して、残りの時間差を平均化するステップ、並びに、
前記中央コントローラによって、平均化する前記ステップを介して取得された時間差及び前記第１の基地局の前記基準時間に基づいて、前記第２の基地局の前記時間調整値を獲得するステップ、
を含む、請求項１に記載のエアインターフェースベースの同期方法。
【請求項３】
前記中央コントローラによって、前記時間調整値を前記第２の基地局に送信する前記ステップが、
前記中央コントローラによって、前記時間調整値に基づいて、前記第２の基地局が時間調整を実行する必要があるかどうかを判定するステップ、及び、
前記第２の基地局が時間調整を実行する必要がある場合、前記中央コントローラによって、前記時間調整値を前記第２の基地局に送信するステップ、
を含む、請求項１又は２に記載のエアインターフェースベースの同期方法。
【請求項４】
前記第１の基地局の負荷が負荷しきい値よりも低い場合、前記中央コントローラによって、時間差要求メッセージを前記第１の基地局に送信するステップ、又は、
前記中央コントローラによって、時間差要求メッセージを前記第１の基地局に定期的に送信するステップ、
を更に含む、請求項１から３のいずれか一項に記載のエアインターフェースベースの同期方法。
【請求項５】
中央コントローラによって送信された時間差要求メッセージを受信した後、第１の基地局によって、第１のユーザ機器（ＵＥ）を選択するステップ、
前記第１のＵＥのアクティブランダムアクセスを使用することにより、前記第１の基地局によって、前記第１の基地局と第２の基地局との間の第１の時間差を獲得するステップ、並びに、
前記第１の基地局によって、前記第１の時間差を前記中央コントローラに送信するステップであって、結果として前記中央コントローラは、獲得された少なくとも１つの時間差及び前記第１の基地局の基準時間に基づいて、前記第２の基地局の時間調整値を獲得し、前記少なくとも１つの時間差は前記第１の時間差を含み、前記第１の基地局は基準基地局であり、前記第２の基地局は非基準基地局である、送信するステップ、
を含む、エアインターフェースベースの同期方法。
【請求項６】
前記第１のＵＥのアクティブランダムアクセスを使用することにより、前記第１の基地局によって、前記第１の基地局と第２の基地局との間の第１の時間差を獲得する前記ステップが、
前記第１の基地局によって、前記第１のＵＥに第１のランダムアクセスプリアンブルを割り振るステップであって、前記第１のＵＥは前記第１の基地局にアクセスするＵＥであり、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、割り振るステップ、
前記第１の基地局によって、前記第１のランダムアクセスプリアンブルを前記第２の基地局に送信するステップであって、結果として前記第２の基地局は、前記第１のランダムアクセスプリアンブルを獲得した後、ランダムアクセスプリアンブル検出を開始する、送信するステップ、並びに、
前記第１の基地局によって、第１の受信瞬間及び第２の受信瞬間に基づいて、前記第１の基地局と前記第２の基地局との間の前記第１の時間差を計算するステップであって、前記第１の受信瞬間は、前記第１の基地局が前記第１のランダムアクセスプリアンブルを検出した瞬間であり、前記第２の受信瞬間は、前記第２の基地局が前記第１のランダムアクセスプリアンブルを検出した瞬間であり、前記第１の基地局は前記第２の基地局によって送信された前記第２の受信瞬間を受信する、計算するステップ、
を含む、請求項５に記載のエアインターフェースベースの同期方法。
【請求項７】
当該方法が、
前記第２の基地局によって送信された前記ランダムアクセスプリアンブル検出の正常な開始の確認応答メッセージを受信した後、前記第１の基地局によって、アクティブランダムアクセスを起動するために、前記第１のＵＥをトリガするステップ、
を更に含む、請求項６に記載のエアインターフェースベースの同期方法。
【請求項８】
アクティブランダムアクセスを起動するために、前記第１のＵＥをトリガする前記ステップが、
前記第１の基地局によって、前記第１のＵＥに、物理ダウンリンク制御チャネルオーダー（ＰＤＣＣＨ  Ｏｒｄｅｒ）を送信するステップを含み、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、
請求項７に記載のエアインターフェースベースの同期方法。
【請求項９】
前記第１の基地局によって、第１の受信瞬間及び第２の受信瞬間に基づいて、前記第１の基地局と前記第２の基地局との間の前記第１の時間差を計算する前記ステップが、
第１の時間差＝（第２の受信瞬間−第１の受信瞬間）に基づいて、前記第１の基地局によって前記第１の時間差を計算するステップ、又は、
第１の時間差＝（第１の受信瞬間−第２の受信瞬間）に基づいて、前記第１の基地局によって前記第１の時間差を計算するステップ、
を含む、請求項６に記載のエアインターフェースベースの同期方法。
【請求項１０】
第１の基地局によって、第１のＵＥを選択する前記ステップが、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１の基地局によって、前記第１のＵＥを選択するステップ、
を含む、請求項５から９のいずれか一項に記載のエアインターフェースベースの同期方法。
【請求項１１】
少なくとも１つの時間差を獲得し、前記少なくとも１つの時間差及び第１の基地局の基準時間に基づいて、第２の基地局の時間調整値を獲得するように構成された、時間調整値処理ユニットであって、前記時間差は前記第１の基地局と前記第２の基地局との間の時間差であり、前記少なくとも１つの時間差は第１の時間差を含み、前記第１の時間差は、前記第１の基地局と前記第２の基地局との間の、第１のユーザ機器（ＵＥ）のアクティブランダムアクセスを使用することによって獲得される時間差であり、前記第１の基地局は基準基地局であり、前記第２の基地局は非基準基地局である、時間調整値処理ユニット、並びに、
前記時間調整値処理ユニットによって獲得された前記時間調整値を前記第２の基地局に送信するように構成され、前記時間調整値は、時間調整を実行するために前記第２の基地局によって使用される、調整値送信ユニット、
を備える、中央コントローラ。
【請求項１２】
前記時間調整値処理ユニットが、
前記時間調整値処理ユニットが少なくとも２つの時間差を獲得する場合、前記少なくとも２つの時間差を平均化するか、又は、最小差の２つの時間差を平均化するか、又は、複数の時間差の最大値及び最小値を除去して、残りの時間差を平均化するとともに、
前記平均化を介して取得された時間差及び前記第１の基地局の前記基準時間に基づいて、前記第２の基地局の前記時間調整値を獲得するように
更に構成される、請求項１１に記載の中央コントローラ。
【請求項１３】
前記調整値送信ユニットが、
前記時間調整値に基づいて、前記第２の基地局が時間調整を実行する必要があるかどうかを判定し、前記第２の基地局が時間調整を実行する必要がある場合、前記時間調整値を前記第２の基地局に送信するように
更に構成される、請求項１１又は１２に記載の中央コントローラ。
【請求項１４】
前記第１の基地局の負荷が負荷しきい値よりも低い場合、時間差要求メッセージを前記第１の基地局に送信するか、又は
時間差要求メッセージを前記第１の基地局に定期的に送信する
ように構成された、時間差要求ユニット、
を更に備える、請求項１１から１３のいずれか一項に記載の中央コントローラ。
【請求項１５】
中央コントローラによって送信された時間差要求メッセージを受信した後、第１のユーザ機器（ＵＥ）を選択するように構成された、ユーザ選択ユニット、
前記ユーザ選択ユニットによって選択された前記第１のＵＥに基づいて、前記第１のＵＥのアクティブランダムアクセスを使用することによって、第１の基地局と第２の基地局との間の第１の時間差を獲得するように構成された、時間差計算ユニット、並びに、
前記時間差計算ユニットによって獲得された前記第１の時間差を前記中央コントローラに送信するように構成され、結果として前記中央コントローラは、獲得された少なくとも１つの時間差及び前記第１の基地局の基準時間に基づいて、前記第２の基地局の時間調整値を獲得する、時間差送信ユニットであって、前記少なくとも１つの時間差は前記第１の時間差を含み、前記第１の基地局は基準基地局であり、前記第２の基地局は非基準基地局である、時間差送信ユニット、
を備える、前記第１の基地局として働く、基地局。
【請求項１６】
前記ユーザ選択ユニットによって選択された前記第１のＵＥに第１のランダムアクセスプリアンブルを割り振り、前記第１のランダムアクセスプリアンブルに関する情報を前記第２の基地局に送信するように構成され、結果として前記第２の基地局は、前記第１のランダムアクセスプリアンブルに関する前記情報を獲得した後、ランダムアクセスプリアンブル検出を開始し、前記第１のランダムアクセスプリアンブルは非競合ベースのランダムアクセスプリアンブルであり、結果として前記第１のＵＥは、前記第１のランダムアクセスプリアンブルを使用することによって、前記第１の基地局へのアクティブランダムアクセスを起動する、ランダムアクセスプリアンブル管理ユニットであって、
前記第２の基地局によって送信された前記ランダムアクセスプリアンブル検出の正常な開始の確認応答メッセージを受信するように更に構成された、ランダムアクセスプリアンブル管理ユニット、
前記アクティブランダムアクセスを起動するために、前記第１のＵＥによって使用される前記第１のランダムアクセスプリアンブルを検出するように構成された、ランダムアクセスプリアンブル検出ユニット、並びに、
第１の受信瞬間及び第２の受信瞬間を獲得するように構成され、前記第１の受信瞬間は、前記ランダムアクセスプリアンブル検出ユニットが前記第１のランダムアクセスプリアンブルを検出した瞬間であり、前記第２の受信瞬間は、前記第２の基地局が前記第１のランダムアクセスプリアンブルを検出した瞬間である、時間情報獲得ユニット、
を更に備え、
前記時間差計算ユニットが、前記時間情報獲得ユニットによって獲得された前記第１の受信瞬間及び前記第２の受信瞬間に基づいて、前記第１の時間差を計算するように更に構成される、請求項１５に記載の基地局。
【請求項１７】
前記ランダムアクセスプリアンブル管理ユニットが、前記第２の基地局によって送信された前記ランダムアクセスプリアンブル検出の正常な開始の前記確認応答メッセージを受信した後、前記第１のランダムアクセスプリアンブルを使用することによって、前記第１の基地局へのアクティブランダムアクセスを起動するために、前記第１のＵＥをトリガするように構成された、リソースマッピングユニット、
を更に備える、請求項１６に記載の基地局。
【請求項１８】
前記リソースマッピングユニットが、前記第１のＵＥに、物理ダウンリンク制御チャネルオーダー（ＰＤＣＣＨ  Ｏｒｄｅｒ）を送信するように更に構成され、前記ＰＤＣＣＨ  Ｏｒｄｅｒは前記第１のランダムアクセスプリアンブルのインデックスを搬送し、結果として前記第１のＵＥは、前記ＰＤＣＣＨ  Ｏｒｄｅｒを受信した後、前記第１のランダムアクセスプリアンブルに従って、前記第１の基地局へのアクティブランダムアクセスを起動する、請求項１７に記載の基地局。
【請求項１９】
前記時間差計算ユニットが、
第１の時間差＝（第２の受信瞬間−第１の受信瞬間）に基づいて、前記第１の時間差を計算するか、又は、
第１の時間差＝（第１の受信瞬間−第２の受信瞬間）に基づいて、前記第１の時間差を計算するように
構成される、請求項１６に記載の基地局。
【請求項２０】
前記ユーザ選択ユニットが、
前記第１のＵＥによって測定された前記第１の基地局のダウンリンク信号強度と、前記第１のＵＥによって測定された前記第２の基地局のダウンリンク信号強度との差異が、第１のしきい値よりも小さい場合、前記第１のＵＥを選択するように構成される、請求項１５から１９のいずれか一項に記載の基地局。
【手続補正２】
【補正対象書類名】明細書
【補正対象項目名】０００２
【補正方法】変更
【補正の内容】
【０００２】
無線ネットワーク容量に対する要件が増加するにつれて、より多くのネットワーク容量を取得するために、サイトはより高密度で配設される。ロングタームエボリューション（Ｌｏｎｇ  Ｔｅｒｍ  Ｅｖｏｌｕｔｉｏｎ，ＬＴＥ）システムの場合、同種ネットワーク（Ｈｏｍｏｇｅｎｅｏｕｓ  Ｎｅｔｗｏｒｋ，  ＨｏｍＮｅｔ）であるか異種ネットワーク（Ｈｅｔｅｒｏｇｅｎｅｏｕｓ  Ｎｅｔｗｏｒｋ，ＨｅｔＮｅｔ）であるかにかかわらず、サイトはより高密度で配設されるため、セル間の干渉はより激しくなる。結果として、セルの境界上でのユーザのスループットは低下し、深刻な場合、エッジユーザの通常作業は影響を受ける。エッジユーザのスタガリングリソースは、セル間の干渉問題を解決することができる。従来技術の方法は、セル間の時間領域干渉調整を使用している。異なるセル間のサブフレームの使用調整の助けにより、セル間の干渉のスタガリングが実装される。これは具体的には、オールモストブランクサブフレーム（Ａｌｍｏｓｔ  Ｂｌａｎｋ  Ｓｕｂｆｒａｍｅｓ，ＡＢＳ）技術を使用することによって実装される。ＡＢＳサブフレームはデータをまったく送信せず、基準信号のみを伝送する。干渉セルに対するいくつかのサブフレームはＡＢＳサブフレームとして設定され、被干渉セルは対応するサブフレーム内でほとんど干渉されない。
【手続補正３】
【補正対象書類名】明細書
【補正対象項目名】０１８８
【補正方法】変更
【補正の内容】
【０１８８】
任意選択で、中央コントローラは、中央コントローラと基地局との間の情報交換を完了するように構成された、インターフェースモジュール１０１４を更に含むことができる。
【手続補正４】
【補正対象書類名】明細書
【補正対象項目名】０２２８
【補正方法】変更
【補正の内容】
【０２２８】
統合されたユニットがソフトウェア機能ユニットの形で実装され、独立製品として販売又は使用される場合、統合されたユニットは、コンピュータ可読記憶媒体内に記憶することができる。こうした理解に基づき、本出願の技術的ソリューションは本質的に、又は従来技術に寄与する部分、又は技術的ソリューションのすべて若しくは一部は、ソフトウェア製品の形で実装可能である。ソフトウェア製品は記憶媒体内に記憶され、コンピュータデバイス（パーソナルコンピュータ、サーバ、若しくはネットワークデバイスであり得る）又はプロセッサ（ｐｒｏｃｅｓｓｏｒ）に、本出願の実施形態で説明した方法のステップのすべて又は一部を実行するように命じるための、いくつかの命令を含む。前述の記憶媒体は、ＵＳＢフラッシュドライブ、取り外し可能ハードディスク、読み取り専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、磁気ディスク、又は光ディスクなどの、プログラムコードを記憶できる任意の媒体を含む。
【国際調査報告】
2016523489.tif 000018
2016523489.tif 000019
2016523489.tif 000020
2016523489.tif 000021